(57)【特許請求の範囲】
【請求項１】
電気駆動車両のユーザを支援するシステムであって、
−前記車両の位置を示す位置情報を移動中に入手する位置情報入手ユニットと、
−前記車両の電力源の残り電力量を移動中に推定する電力量推定ユニットと、
−前記推定された残り電力量に基づいて電力量不足の危険性を移動中に推定する電力量不足危険性推定ユニットと、
−前記電力量不足危険性推定ユニットによって推定された電力量不足の前記推定された危険性が所定のしきい値を超える場合にユーザに通知する通知ユニットと、
判定された位置から目的位置まで前記車両を用いて移動するのに必要である必要な電力量を移動中に推定する必要電力量推定ユニットであって、前記電力量不足危険性推定ユニットは、前記推定された必要な電力量にさらに基づいて電力量不足の前記推定された危険性を推定するように構成される、必要電力量推定ユニットと、
交通情報を取得する交通情報取得ユニットと、及び
前記判定された位置から前記目的位置までの移動経路を計算する経路計算ユニット、
を含み、
前記必要電力量推定ユニットは、前記交通情報取得ユニットによって取得された交通情報に基づいて前記必要な電力量を推定するように構成され、且つ／又は前記電力量不足危険性推定ユニットは、前記交通情報取得ユニットによって取得された交通情報に基づいて電力量不足の前記推定された危険性を推定するように構成され、
前記電力量不足危険性推定ユニットが、電力量不足の前記推定された危険性が前記交通情報内で示される現在経路に関する交通条件に起因して所定のしきい値を超えると推定する時に、前記経路計算ユニットは、前記判定された位置から前記目的位置までの１つ又は複数の代替経路を計算するように構成され、前記必要電力量推定ユニットは、前記１つ又は複数の代替経路のそれぞれについて、前記判定された位置から前記目的位置へそれぞれの代替経路にそって前記車両を用いて移動するのに必要な代替の必要な電力量を推定するように構成され、前記電力量不足危険性推定ユニットは、前記１つ又は複数の代替経路のそれぞれについて、前記残り電力量及び前記代替の必要な電力量に基づいて電力量不足のそれぞれの推定された危険性を推定するように構成される、システム。
【請求項２】
前記電力量不足危険性推定ユニットは、移動中の前記車両の電力消費に影響する動的条件を示す情報にさらに基づいて電力量不足の前記推定された危険性を推定するように構成され、前記動的条件を示す情報は、特に交通情報、気象情報、及び車両情報のうちの少なくとも１つを含む
請求項１に記載のシステム。
【請求項３】
前記交通情報は、交通渋滞情報、交通事故情報、道路工事情報、移動時間情報のうちの少なくとも１つを含む
請求項１に記載のシステム。
【請求項４】
前記通知ユニットは、前記電力量不足危険性推定ユニットによって推定された電力量不足の前記それぞれの推定された危険性が前記所定のしきい値未満である代替経路について前記車両の前記ユーザに通知するようにさらに構成される
請求項１に記載のシステム。
【請求項５】
前記目的位置について指定される所期到着時刻及び前記交通情報取得ユニットによって取得された交通情報に基づいて前記目的位置での到着時刻が遅れる危険性を移動中に推定する遅れ危険性推定ユニットであって、前記目的位置は、特定のサポート・ステーションの位置であり、且つ／又は前記所期到着時刻は、前記特定のサポート・ステーションでの所期到着時刻である、遅れ危険性推定ユニット
をさらに含む、請求項１に記載のシステム。
【請求項６】
前記通知ユニットは、前記遅れ危険性推定ユニットによって推定された前記到着時刻が遅れる危険性が所定のしきい値を超える場合に、前記車両の前記ユーザに通知するようにさらに構成される
請求項５に記載のシステム。
【請求項７】
１つ又は複数のサポート・ステーションの位置を示す位置情報及び１つ又は複数のサポート・ステーションの利用可能性状況を示す利用可能性情報のうちの少なくとも１つを含むサポート・ステーション情報を取得するサポート・ステーション情報取得ユニット
をさらに含む、請求項１に記載のシステム。
【請求項８】
前記必要電力量推定ユニットは、前記サポート・ステーション情報内で示される１つ又は複数のサポート・ステーションのそれぞれについて、前記判定された位置から前記それぞれのサポート・ステーションの前記位置まで前記車両を用いて移動するのに必要である必要な電力量を推定するように構成され、
前記電力量不足危険性推定ユニットは、前記サポート・ステーション情報内で示される１つ又は複数のサポート・ステーションのそれぞれについて、前記判定された位置から前記それぞれのサポート・ステーションの前記位置まで移動する時の電力量不足の危険性を推定するように構成される
請求項７に記載のシステム。
【請求項９】
前記通知ユニットは、前記電力量不足危険性推定ユニットによって推定された前記電力量不足の危険性が所定のしきい値未満であるサポート・ステーションについて前記車両の前記ユーザに通知するように構成される
請求項８に記載のシステム。
【請求項１０】
通信ネットワーク（Ｎ）を介する予約動作に使用可能なサポート・ステーションのブッキングをサポートするように構成されたサポート・ステーション予約サポート・ユニット
をさらに含み、前記サポート・ステーション予約サポート・ユニットは、
具体的には前記電力量不足危険性推定ユニットが、前記推定された電力量不足の危険性が所定のしきい値を超えると推定する時に、前記サポート・ステーション情報内で示される前記サポート・ステーションのうちの１つに向けられた予約の要求を発行し、且つ／又は
具体的には前記判定された位置から前記それぞれのサポート・ステーションの前記位置まで前記車両を用いて移動するための前記推定された電力量不足の危険性が所定のしきい値を超える時に、前記サポート・ステーション情報内で示されるサポート・ステーションに向けられた予約の取消の要求を発行する
ように構成される、請求項７に記載のシステム。
【請求項１１】
気象情報を取得する気象情報取得ユニット
をさらに含み、前記必要電力量推定ユニットは、前記気象情報取得ユニットによって取得された気象情報に基づいて前記必要な電力量を推定するように構成され、且つ／又は
前記電力量不足危険性推定ユニットは、前記気象情報取得ユニットによって取得された気象情報に基づいて前記電力量不足の危険性を推定するように構成される
請求項１に記載のシステム。
【請求項１２】
電力源によって電気的に駆動される前記車両の電気デバイスの使用を示す電気デバイス使用情報を移動中に監視する電気デバイス使用情報監視ユニット
をさらに含み、前記電力量不足危険性推定ユニットは、前記電気デバイス使用情報監視ユニットによって判定された電気デバイス使用情報に基づいて前記電力量不足の危険性を推定するように構成される
請求項１に記載のシステム。
【請求項１３】
前記システムは、前記車両に取付可能なオンボード装置を含み、
前記オンボード装置は、前記位置監視ユニット、前記必要電力量推定ユニット、前記電力量推定ユニット、及び前記電力量不足危険性推定ユニットのうちの少なくとも１つを含み、
前記システムは、前記車両の通信ユニットと通信接続可能な外部装置を含み、前記外部装置は、前記位置監視ユニット、前記必要電力量推定ユニット、前記電力量推定ユニット、及び前記電力量不足危険性推定ユニットのうちの少なくとも１つを含む、
請求項１に記載のシステム。
【請求項１４】
前記電気駆動車両を充電できるサポート・ステーションを少なくとも予約できる、サポート・ステーション予約ユニットをさらに含み、前記サポート・ステーション予約ユニットは、前記必要電力量推定ユニットが前記所定のしきい値を超えると推定するときに、前記所定のしきい値を超えない電力で移動可能なサポート・ステーションを予約するように構成される、
請求項１に記載のシステム。
【発明の詳細な説明】
【技術分野】
【０００１】
参照による組込み
本願は、これによってその内容が参照によって本願に組み込まれる、２０１１年１０月７日に出願した欧州特許出願第１１１８４２８９．４号の優先権を主張するものである。
【０００２】
本願で開示される主題は、電気自動車又はプラグイン・ハイブリッド電気自動車などの電気駆動車両のユーザをサポートするシステムに関する。
【背景技術】
【０００３】
電気自動車（ＥＶ）及びプラグイン・ハイブリッド電気自動車（ＰＨＥＶ）は、その環境展望及び経済的展望のゆえに、ますます注目が高まりつつある。そのような電気駆動車両は、車両内に十分に充電されたバッテリを装備する必要がある。そうでなければ、航続可能距離が不十分になる危険性、又はバッテリを使い果たす危険性さえ生じる可能性がある。バッテリ不足の危険性に気付いた時に、ユーザは、その状況の救済策を見つける必要があり、現時点では、公衆充電ステーション又は充電ステーション機器を有する駐車スペースでユーザがバッテリを充電する必要がある。しかし、現在、内燃機関を有する自動車の燃料供給とは異なって、バッテリを充電するには長時間を要するので、ユーザが充電ステーションが使用中と判明したときには、ユーザは、何時間も待つか、充電のために別の所を見つける必要がある可能性がある。
【０００４】
電気自動車又はプラグイン・ハイブリッド電気自動車のドライバ及び／又は同乗者（以下では時々ユーザと称する）にとって、航続可能距離及び途中でのバッテリ不足の潜在的危険性は、主要な心配事の１つである。これは、特に現在において、バッテリ容量が通常は制限され、バッテリが満充電されている場合であっても最善条件での最大距離が通常は２００ｋｍ未満であるためである。そのような貧弱なバッテリ容量が、バッテリ不足の危険性を高める１つの理由である。十分に使用可能な航続可能距離を有するため、及び途中でのバッテリ不足の発生を避けるために、電気自動車又はプラグイン・ハイブリッド電気自動車のユーザは、バッテリを十分に充電し、電力レベルに注意を払う必要がある。しかし、現在バッテリを充電するのに必要な時間の理由で、ユーザは、しばしば、必要な時に公衆充電ステーションを利用することができない。そのような問題に鑑みて、電気自動車又はプラグイン・ハイブリッド電気自動車のユーザが計画された旅行の前に充電ステーションの予約を行うことを可能にする充電ステーション予約システム（ｃｈａｒｇｉｎｇ−ｓｔａｔｉｏｎ  ｂｏｏｋｉｎｇ  ｓｙｓｔｅｍ）が検討されてきた。
【０００５】
たとえば、特許文献１は、旅行の前に、出発点及び目的点をセットした後に、出発点にあるモーター駆動車両のバッテリの残り電力量が、その車両が目的点まで移動するのに必要な総電力量未満であるかどうかをチェックする制御セクションを含む、車両の電力量情報出力デバイスを提案している。制御セクションは、残り電力量が必要な総電力量未満である場合に、バッテリの残り電力量が不十分であることを示す不十分情報を出力するために出力セクションを駆動する。
【０００６】
しかし、特許文献１の提案するデバイスは、単に、実際の旅行の前に充電ステーションを静的に予約するための出発点での動作に関連し、移動中に予約を動的に処理することには関連しない。そこで、本願の発明人は、電気自動車又はプラグイン・ハイブリッド電気自動車のユーザが、移動中に動的に発生する可能性のある交通事故、交通渋滞及び道路工事を含む交通条件、並びに／又は気象条件などの予期されない事故及び影響に起因するバッテリ不足の危険性に苦しむ可能性があるという問題が依然として残っていることを考慮した。具体的には、米国特許公開公報２０１１／００３２１１０Ａ１で提案される静的充電ステーション予約プラニングは、動的状況変化を処理する能力を提供しない。たとえば、本発明者は、ユーザが激しい交通渋滞に捕まった場合に、バッテリ不足が交通渋滞中に発生する危険性が高まる可能性があること、及び／又は交通渋滞が遅れにつながり、この遅れが、予約されたタイム・スロット内に予約された充電ステーションに達することを不可能にする危険性が生じる可能性があることを考慮するものである。
【先行技術文献】
【特許文献】
【０００７】
【特許文献１】米国特許公開公報２０１１／００３２１１０Ａ１
【発明の概要】
【発明が解決しようとする課題】
【０００８】
上記に従って、電気自動車又はプラグイン・ハイブリッド電気自動車のユーザがそれでもバッテリ不足に苦しむか航続可能距離が不十分になる危険性をさらに減らすのを助けることができる、電気駆動車両のユーザをサポートする、改善されたシステムを提案する。
【課題を解決するための手段】
【０００９】
本開示によれば、電気駆動車両のユーザをサポートするシステムであって、車両の位置を示す位置情報を移動中に入手する位置情報入手ユニットと、車両の電力源の残り電力量を移動中に推定する電力量推定ユニットと、推定された残り電力量に基づいて電力量不足の推定される危険性を移動中に推定する電力量不足危険性推定ユニットと、電力量不足危険性推定ユニットによって推定された電力量不足の推定された危険性が所定のしきい値を超える場合にユーザに通知する通知ユニットとを含むシステムが提案される。
【００１０】
したがって、本開示の基礎になる概念は、システムが、電気自動車又はプラグイン・ハイブリッド電気自動車のユーザに改善された援助を提供でき（出発点だけではなく移動中にも）、その結果、旅行中の動的に変化する状況の下でユーザを効果的に援助することが可能になるようにすることである。これは、以前には予想されなかったバッテリ不足の発生の危険性、及び／又は航続可能距離が不十分になる状況を引き起こす可能性がある、移動中に予期せず発生し得る状況変化に対しても、ユーザに動的に警告することを可能にするので、ユーザ援助を効果的に改善することができる。
【００１１】
したがって、本開示は、移動中に動的に発生し得るバッテリ不足の危険性や、バッテリ不足の危険性が増加していることに関して、ユーザに動的に通知することを効果的に可能にし、ユーザが移動中に動的に対応することを効果的に可能にする。具体的には、オーディオ・デバイス、空調デバイスその他などの電気デバイスの動的使用、車両ライトの動的使用、交通事故、道路工事、交通渋滞、又は変化する気象条件（たとえば、暑さは、空調を使用する必要性につながる可能性があり、寒い条件は、加熱デバイスの使用の必要性につながる可能性があり、霧の発生は、追加ライトをオンに切り替える必要性につながる可能性があり、雨は、ワイパを使用する必要性につながる可能性があり、雪は、大幅に異なる平均速さ及び移動時間につながる可能性があるなど）などの動的に発生する交通条件など、複数の要因が、移動中の電気駆動車両の電力消費に動的に影響する可能性がある。本開示により、運転中にユーザを動的に援助し、サポートすることが効果的に実現できる。
【００１２】
本開示の好ましい実施例によれば、本開示のシステムを、たとえば充電ステーション・インフラストラクチャなどのサポート・ステーション・インフラストラクチャ及び交通情報センタと任意の媒体によって直接的又は間接的に通信可能なオンボード・ユニット及び／又はサーバ（電気自動車又は車内デバイスと通信可能）によって実施することができ、サーバ及び／又はオンボード・ユニットは、車両バッテリ情報、車両現在位置、車両目的位置、充電ステーションの満空情報などのサポート・ステーションの利用可否情報、気象条件、及び／又は交通情報を収集するユニットを有する。サーバ及び／又はオンボード・ユニットは、入手された情報に基づいて動的にバッテリ不足の危険性を繰り返し又は周期的に監視することができ、危険性が検出された後には、サーバ及び／又はオンボード・ユニットは、好ましくは、充電ステーション候補（１つ又は複数）などの好都合なサポート・ステーション候補（１つ又は複数）を提案することができ、さらに／又はサポート・ステーションが充電ステーションである場合に道の途中での好都合な充電動作タイミングを自律的にユーザに提案することができる。それを行うことによって、従来技術と比較して、移動中にさまざまな動的に発生し得る状況変化によって引き起こされる危険性に対して、ドライバはタイムリーに適切に反応することが可能になる。
【００１３】
本開示におけるサポート・ステーションは、主に電気駆動車両のユーザが車両のバッテリを充電できる充電ステーションとして上記及び下記において説明されるが、本開示の意味でのサポート・ステーションが、交換可能な充電済みバッテリが入手可能であり、その結果、ユーザが車両のバッテリをサポート・ステーションにある交換可能な充電済みバッテリと交換できるようになる場所を表すことがさらに可能であることに留意されたい。サポート・ステーションの利用可否情報は、サポート・ステーションの位置、サポート・ステーションの営業時間、サポート・ステーションでの充電済みバッテリの利用可能性（たとえば、充電済みバッテリの入手可能な個数及び／又は入手可能なタイプ、バッテリの交換を実行するために使用可能なサポート人員などを示す情報）などの情報を含むことができる。充電ステーションの場合に、サポート・ステーション利用可否情報は、サポート・ステーションの位置、サポート・ステーションの営業時間、車両を充電する充電ユニットの利用可能性、車両を充電するのに使用可能な充電ユニットの車両タイプを充電するのに使用可能な充電ユニットの個数、車両を充電するのに使用可能な充電ユニットのタイプ（たとえば、通常の充電ユニット又は高速充電ユニット）、車両を充電するのに使用可能なタイム・スロット、特定のタイム・スロットでの充電ユニットの予約可否、その他の情報を含むことができる。もちろん、本開示の意味での用語「サポート・ステーション」は、さらに、ユーザが車両のバッテリを充電すること又は車両のバッテリを充電済みバッテリと交換することのいずれかの両方の可能性を有する場所に関連することができる。サポート・ステーションは、さらに、ユーザが到達できる、所定の場所であって、バッテリ交換サービスを注文するためにユーザが連絡できるサービス・ステーションとすることさえできる。
【００１４】
本発明の好ましい態様及び実施例のいくつかに、以下で言及する。
【００１５】
本開示の好ましい態様によれば、電力量不足危険性推定ユニットは、好ましくは、移動中の車両の電力消費に影響する動的条件を示す情報にさらに基づいて電力量不足の推定された危険性を推定するように構成され、前記情報は、好ましくは、具体的には交通情報、気象情報、及び車両情報のうちの少なくとも１つを含む。これは、たとえば、車両の電気デバイスの使用量、気象条件（たとえば、変化する気象条件に起因して必要な、アクティブ化されたライトや空調が必要になるなど）、又は交通条件（道路工事、交通事故、又は交通渋滞に起因する、より長い移動距離及び／又は移動時間など）など、残り電力量に影響する状況の動的変化に起因する、バッテリ不足前には予想されなかった危険性につながる可能性がある状況変化について動的にユーザに警告することを可能にするので、ユーザ援助を効果的に改善する。
【００１６】
本開示のもう１つの好ましい態様によれば、このシステムは、好ましくは、判定された位置から目的位置まで車両を用いて移動するのに必要な電力量を移動中に推定する必要電力量推定ユニットであって、電力量不足危険性推定ユニットは、好ましくは、推定された必要な電力量にさらに基づいて電力量不足の危険性を推定するように構成される、必要電力量推定ユニットをさらに含む。これは、目的位置（最終目的地又は充電ステーションなどのサポート・ステーションの目的地などの中間目的地）への移動中のバッテリ不足の発生に関する危険性を、判定された位置から目的位置まで車両を用いて移動するのに必要な電力量を示す情報に基づいて動的に信頼性高く判定できるという利点を有し、この必要な電力量は、道路工事、事故、若しくは交通渋滞などの現在の経路上の交通関連イベント、又は変化した気象条件に起因する電気デバイス使用により増加した電力消費（たとえば、暑くなる場合に必要な空調、霧、雨、又は雪がある場合に必要なライト、雨、雪、又は類似物に起因して必要なワイパ動作）などの予期しない関連イベントに起因して動的に変化する可能性がある。
【００１７】
本開示のもう１つの好ましい態様によれば、このシステムは、好ましくは、交通情報を取得する交通情報取得ユニットをさらに含む。必要電力量推定ユニットは、好ましくは、交通情報取得ユニットによって取得された交通情報に基づいて必要な電力量を推定するように構成され、且つ／又は電力量不足危険性推定ユニットは、好ましくは、交通情報取得ユニットによって取得された交通情報に基づいて電力量不足の危険性を推定するように構成される。これは、バッテリ不足の危険性の判定又は、たとえば予約された充電ステーションなどの予約されたサポート・ステーションなどの目的地への遅れた到着の発生など他の潜在的危険性監視項目が発生する危険性の判定を、動的に変化する移動中の交通条件に起因する潜在的危険性が高まる影響を考慮することによって、より動的に信頼性高く実行できるという利点を提供する。さらに、好ましくは、道路工事、交通渋滞、及び交通事故などの動的に変化し得る交通条件を考慮に入れることを可能にするために、交通情報は、交通渋滞情報、交通事故情報、道路工事情報、移動時間情報のうちの少なくとも１つを含む。
【００１８】
さらに、好ましくは、このシステムは、判定された位置から目的位置までの移動経路を計算する経路計算ユニットをさらに含むことができる。電力量不足危険性推定ユニットが、電力量不足の推定危険性が交通情報内で示される現在経路に関する交通条件に起因して所定のしきい値を超えると判定すると、経路計算ユニットは、好ましくは、判定された位置から目的位置までの１つ又は複数の代替経路を計算するように構成され、必要電力量推定ユニットは、好ましくは１つ又は複数の代替経路のそれぞれについて、判定された位置から目的位置へそれぞれの代替経路にそって車両を用いて移動するのに必要である代替の必要な電力量を推定するように構成される。これは、さらに、ユーザに警告するだけではなく、目的地に到着する前のバッテリ不足の発生を防ぐのを助けることができる代替経路の推奨を含む推奨解決策をさらに提供することも可能になるので、ユーザのサポートを改善することができる。このシステムは、さらに、目的地又は充電ステーションなどのサポート・ステーションへの適切な代替経路を見つけることができない場合にユーザに警告する能力を有することができ、さらに、代替目的地として安全な所（路肩など）へユーザを案内する代替経路をそのような状況で提案することができる。このシステムは、さらに、安全な所への到着の前又は到着時に援助が必要なときにはユーザを援助することができる。
【００１９】
さらに、好ましくは、電力量不足危険性推定ユニットは、１つ又は複数の代替経路のそれぞれについて、残り電力量及び代替経路で必要な電力量に基づいて電力量不足のそれぞれの危険性を推定するように構成される。これにより、目的地への到着の前のバッテリ不足の発生を防げるかどうかという観点で、推奨経路を評価することを可能とする。
【００２０】
さらに、好ましくは、通知ユニットは、電力量不足危険性推定ユニットによって推定された電力量不足の推定危険性が所定のしきい値未満である代替経路について車両のユーザに通知するようにさらに構成される。ユーザは、別の経路を選択することによって、知らされた危険性に対して適切に対応することができる。そのような経路が見つからない場合には、通知ユニットは、路肩などの安全な所への代替経路について、ユーザに通知することも可能である。
【００２１】
さらに、好ましくは、このシステムは、目的位置について指定される所期到着時刻及び交通情報取得ユニットによって取得された交通情報に基づいて目的位置での到着時刻に対する遅延の危険性を移動中に推定する遅れ危険性推定ユニットであって、具体的には、目的位置は、好ましくは、特定の充電ステーションなどの特定のサポート・ステーションの位置を表し、所期到着時刻は、好ましくは、たとえば特定の充電ステーションでの車両の予約充電開始時刻など、サポート・ステーションへの所期到着時刻を表す、遅れ危険性推定ユニットをさらに含むことができる。これにより、バッテリ不足の危険性の監視に加えて、さらに危険性監視の対象を追加することになる。これは、目的地が予約されたサポート・ステーション（たとえば、潜在的な中間目的地として）であり、到着が遅れることにより前記予約が失われ、充電動作を計画通りに実行できないことによるバッテリ不足の危険性が間接的に高まる、というような場合に特に有効である。
【００２２】
さらに、好ましくは、通知ユニットは、遅れ危険性推定ユニットによって到着時刻の遅れの危険性が所定のしきい値を超えると推定された場合に、車両のユーザに通知するようにさらに構成され得る。ユーザは、別のより高速の又は少なくともよりエネルギ効率のよい経路を見つけるか、前もって充電ステーションを再予約する（ＨＭＩデバイスを介して又は手動で、たとえば電話又はインターネットを介して）ことを試みることによって、通知された危険性に適切に対応することができる。
【００２３】
本開示のもう１つの好ましい態様によれば、このシステムは、好ましくは、１つ又は複数の充電ステーションなどの１つ又は複数のサポート・ステーションの位置を示す位置情報及び１つ又は複数の充電ステーションなどの１つ又は複数のサポート・ステーションの利用可否状況を示す利用可否情報のうちの少なくとも１つを好ましくは含む、充電ステーション情報などのサポート・ステーション情報を取得するサポート・ステーション情報取得ユニットをさらに含む。これは、検出されたバッテリ不足の危険性に対してよりよく対応するのに有用なサポート・ステーション情報をユーザに与えることを可能にする。
【００２４】
さらに、好ましくは、必要電力量推定ユニットは、好ましくはサポート・ステーション情報内で示される１つ又は複数のサポート・ステーションのそれぞれについて、判定された位置からそれぞれのサポート・ステーションの位置まで車両を用いて移動するのに必要である必要な電力量を推定するように構成され、電力量不足危険性推定ユニットは、好ましくはサポート・ステーション情報内で示される１つ又は複数のサポート・ステーションのそれぞれについて、判定された位置からそれぞれのサポート・ステーションの位置まで移動する時の電力量不足の危険性を推定するように構成される。これは、ユーザのサポートをさらに改善する。というのは、最初にバッテリ不足の危険性が検出され、それを避けるためにサポート・ステーションの１つに向かって進んでいる際、前記サポート・ステーションが利用不可となることによるバッテリ不足の危険性について、ユーザにさらに知らせることができるからである。
【００２５】
さらに、好ましくは、通知ユニットは、電力量不足危険性推定ユニットによって推定された電力量不足の危険性が所定のしきい値未満である充電ステーションなどのサポート・ステーションについて、車両のユーザに通知するように構成され得る。ユーザは、動的に検出されたバッテリ不足の危険性を回避するために潜在的なサポート・ステーションを適当に選択することができる。そのような潜在的なサポート・ステーションが見つからない場合には、通知ユニットを、安全な所（たとえば、路肩）及び／又は路傍援助が入手可能である所（たとえば、バッテリ交換を注文するため）などの潜在的な代替目的地に関して車両のユーザに通知するように構成することができる。
【００２６】
さらに、好ましくは、このシステムは、通信ネットワークを介して予約動作が可能な充電ステーションなどのサポート・ステーションの予約をサポートするように構成された、サポート・ステーション予約サポート・ユニットをさらに含むことができる。これは、バッテリ不足又は到着遅延の危険性が動的に検出される場合に、ユーザが充電ステーション又は別のサポート・ステーションの予約又は再予約を直接に開始することを可能にするという利点を提供する。
【００２７】
具体的には、次の特徴のうちの１つ又は複数は、危険性が動的に検出される時にユーザを効果的にサポートすることができる。さらに、好ましくは、サポート・ステーション予約サポート・ユニットは、具体的には電力量不足危険性推定ユニットが、電力量不足の危険性が所定のしきい値を超えると推定する時に、サポート・ステーション情報内で示される充電ステーションなどのサポート・ステーションのうちの１つに向けられた予約の要求を発行するように構成され得る。さらに、好ましくは、サポート・ステーション予約サポート・ユニットは、具体的には判定された位置からそれぞれの充電ステーション又は別のサポート・ステーションの位置まで車両を用いて移動するための電力量不足の推定危険性が所定のしきい値を超える時に、サポート・ステーション情報内で示される充電ステーション又は別のサポート・ステーションに向けられた予約の取消の要求を発行するように構成され得る。
【００２８】
このシステムは、バッテリ不足の危険性が検出され、バッテリ不足の発生を防ぐために適切な代替経路又は充電ステーションなどの利用可能なサポート・ステーションを見つけることができない場合に、残りバッテリ・レベルに基づいてそれでも到達できる代替目的地、たとえば路肩などの安全な所で路傍援助の要求を発行するように構成された路傍援助要求ユニットをさらに含むことができる。路傍援助（たとえば、バッテリ交換など）が、代替目的地で要求される場合には、経路計算ユニットは、代替目的地への経路を計算でき、通知ユニットは、代替目的地への計算された経路に沿ってユーザを案内することができる。
【００２９】
本開示のもう１つの好ましい態様によれば、このシステムは、好ましくは、気象情報を取得する気象情報取得ユニットをさらに含む。さらに、好ましくは、必要電力量推定ユニットは、気象情報取得ユニットによって取得された気象情報に基づいて必要な電力量を推定するように構成され得、且つ／又は電力量不足危険性推定ユニットは、好ましくは、気象情報取得ユニットによって取得された気象情報に基づいて電力量不足の危険性を推定するように構成され得る。これは、バッテリ不足又はたとえば予約された充電ステーションなどのサポート・ステーションなどの目的地に対する到着遅延の発生など、他の潜在的な危険性監視項目に対する発生の危険性の判定を、移動中の動的に変化する気象条件に由来する潜在的な危険性を増やす影響（たとえば、暑くなる場合に必要な空調、霧、雨、又は雪がある場合に必要なライト、雨、雪、又は類似物に起因して必要なワイパ動作）を考慮に入れることによって、より信頼できる形で動的に実行できるという利点を提供する。
【００３０】
本開示のもう１つの好ましい態様によれば、このシステムは、好ましくは、電源によって電気的に駆動される車両の電気デバイスの使用を示す電気デバイス使用情報を移動中に監視する電気デバイス使用情報監視ユニットをさらに含む。さらに、好ましくは、電力量不足危険性推定ユニットは、電気デバイス使用情報監視ユニットによって判定された電気デバイス使用情報に基づいて電力量不足の危険性を推定するように構成され得る。これは、バッテリ不足の危険性があるかどうかの判定を効果的に改善する。というのは、他の潜在的に危険性を高める影響（バッテリ電力レベル低下の速さに影響し、ユーザによって動的にアクティブ化され又は非アクティブ化される可能性もある、アクティブ化されたラジオ、空調、ライト、通信ユニット、車両センサ、又は類似物）に基づいて動的判定を実行することが可能になるためである。たとえば、ユーザが、移動中に電気デバイス、たとえばエア・コンディショナなどをアクティブ化した後には、目的地に到着する前のバッテリ不足の危険性が動的に発生する可能性がある。
【００３１】
上で説明された本開示及びその好ましい態様によるシステムを、異なる形で実現できることに留意いただきたい。基本的に、このシステムは、車両に設置されるかこれに直接に接続される１つ又は複数の装置によって提供することができる。或いは、このシステムは、車両と直接的又は間接的に通信可能であり、車両から受け取られる情報に基づいて移動中に車両を監視するサーバ・システムによって提供することができる。或いは、このシステムは、車両に設置されるかこれに直接に接続される上述の装置と、車両と直接的又は間接的に通信可能であり、車両を監視するサーバ・システムとの組合せによって提供することができる。
【００３２】
具体的には、本開示の態様によれば、このシステムは、車両に取付可能なオンボード装置を含むことができる。オンボード装置は、位置監視ユニット、必要電力量推定ユニット、電力量推定ユニット、及び電力量不足危険性推定ユニットのうちの少なくとも１つを含むことができる。代替案では、本開示のもう１つの態様によれば、このシステムは、車両の通信ユニットと通信可能なサーバ又はサーバ・ネットワークなどの外部装置を含むことができる。外部装置は、位置監視ユニット、必要電力量推定ユニット、電力量推定ユニット、及び電力量不足危険性推定ユニットのうちの少なくとも１つを含むことができる。組み合わされたシステムとして、本開示のもう１つの態様によれば、このシステムは、車両に取付可能なオンボード装置及び車両の通信ユニットと通信可能な通信ユニットを有する外部装置を含むことができる。オンボード装置は、好ましくは、外部装置と通信するように構成され、好ましくは、位置監視ユニット、必要電力量推定ユニット、電力量推定ユニット、及び電力量不足危険性推定ユニットのうちの少なくとも１つを含む。その一方で、外部装置は、好ましくは、オンボード装置と通信するように構成され、位置監視ユニット、必要電力量推定ユニット、電力量推定ユニット、及び電力量不足危険性推定ユニットの他のユニットを含む。
【００３３】
要約すると、このシステムは、１つ又は複数の装置、たとえば、電気駆動車両のオンボード装置、電気駆動車両に及び／又は電気駆動車両のオンボード装置と通信可能な情報提供／情報入手／情報処理サーバ、並びに／或いは携帯電話機、スマートフォン、パーソナル・コンピュータ、タブレット・コンピュータ、又は類似物など、電気駆動車両に及び／又は電気駆動車両のオンボード装置に通信可能なパーソナル・デバイスなどによって実現され又はこれを含むことができる。
【００３４】
本発明のもう１つの好ましい態様によれば、車両の位置を判定あるいは監視することは、車両の位置を繰り返して判定すること、具体的には車両の位置を周期的に判定すること、又は移動中に動的に発生するイベントに基づいて車両の位置を判定すること（イベントトリガ式）を含むことができ、必要な電力量を推定することは、必要な電力量を繰り返して推定すること、具体的には必要な電力量を周期的に推定すること、又は移動中に動的に発生するイベントに基づいて必要な電力量を推定すること（イベントトリガ式）、を含むことができ、電源の残り電力量を推定することは、残り電力量を繰り返して推定すること、具体的には残り電力量を周期的に推定すること、又は移動中に動的に発生するイベントに基づいて残り電力量を推定すること（イベントトリガ式）、を含むことができ、且つ／或いは電力量不足の危険性を推定することは、電力量不足の危険性を繰り返して推定すること、具体的には電力量不足の危険性を周期的に推定すること、又は移動中に動的に発生するイベントに基づいて電力量不足の危険性を推定すること（イベントトリガ式）、を含むことができる。
【００３５】
本開示は、さらに、コンピュータ、サーバ、オンボード・ユニット、モバイル・ユニットなどの装置、具体的には送信ユニット、受信ユニット、メモリ・ユニット、及び／若しくは処理ユニットを含む装置、又は通信可能なように接続されたそのような装置のグループ／システムが、車両の位置を示す位置情報を移動中に入手する位置情報入手ユニットと、車両の電力源の残り電力量を移動中に推定する電力量推定ユニット、推定された残り電力量に基づいて電力量不足の危険性を移動中に推定する電力量不足危険性推定ユニット、電力量不足危険性推定ユニットによって電力量不足の推定危険性が所定のしきい値を超える場合にユーザに通知する通知ユニット、又は上で説明された好ましい態様に従う他のユニットのうちの少なくとも１つを実現するように構成されるように、装置又は装置のグループ／システムを適合させるように構成されたコンピュータ・プログラム・コード・ユニットを含むコンピュータ・プログラム製品を提供することができる。
【００３６】
そのようなプログラムを、前もって上記の装置又はシステム内のメモリ・ユニットによって格納するか、又は上記の装置のために使用可能な任意の媒体を介して別の装置からメモリ・ユニットに導入するかのいずれかとすることができる。上記の媒体は、たとえば、取外し可能メモリ媒体又は通信媒体（すなわち、有線ネットワーク、無線ネットワーク、若しくは光ネットワーク、又はネットワークを実現するための搬送波及びディジタル信号）である。
【００３７】
したがって、上述の態様の位置情報入手ユニット、電力量推定ユニット、電力量不足危険性推定ユニット、通知ユニット、及び／又は他のユニットを、ハードウェア又はソフトウェアに関して、並びにハードウェア及びソフトウェアのコンピュータ実施される組合せとして、実現することができる。
【図面の簡単な説明】
【００３８】
【図１】通信ネットワークを示す例示的な概略図である。
【図２】一実施例による車両を示す例示的な概略図である。
【図３】一実施例によるサーバ・ユニットを示す例示的な概略図である。
【図４】一実施例によるＨＭＩユニットを示す例示的な概略図である。
【図５】一実施例によるサーバ側で電気駆動車両のユーザをサポートする方法の流れ図を示す例示的な概略図である。
【図６】一実施例による車両側で電気駆動車両のユーザをサポートする方法の流れ図を示す例示的な概略図である。
【図７】一実施例による電気駆動車両のユーザに示される画面を示す例示的な概略図である。
【図８】一実施例による電気駆動車両のユーザに示される画面を示す例示的な概略図である。
【図９】一実施例による車両側で電気駆動車両のユーザをサポートする方法の流れ図を示す例示的な概略図である。
【図１０】一実施例による電気駆動車両のユーザに示される画面を示す例示的な概略図である。
【図１１】一実施例による電気駆動車両のユーザに示される画面を示す例示的な概略図である。
【図１２】一実施例によるサーバ側で電気駆動車両のユーザをサポートする方法の流れ図を示す例示的な概略図である。
【図１３】一実施例による車両側で電気駆動車両のユーザをサポートする方法の流れ図を示す例示的な概略図である。
【図１４】一実施例による電気駆動車両のユーザに示される画面を示す例示的な概略図である。
【図１５】一実施例による電気駆動車両のユーザに示される画面を示す例示的な概略図である。
【発明を実施するための形態】
【００３９】
本開示の好ましい実施例を、以下で添付図面を参照して説明する。実施例の説明される特徴及び態様を変更するか組み合わせて、本開示のさらなる実施例を形成することができる。以下の好ましい実施例では、本開示におけるサポート・ステーションの具体例として、ユーザが車両のバッテリに充電できる充電ステーションを参照して説明されることに留意されたい。しかし、本開示は、充電ステーションなどのサポート・ステーションに限定されるのではなく、サポート・ステーションという用語は、全般的に、ユーザがたとえば１つ若しくは複数のバッテリを充電すること及び／又は１つ若しくは複数のバッテリを１つ若しくは複数の交換可能な充電済みバッテリと交換することによって車両で使用可能な電力レベルを能動的に増やすことができる場所とみなされる。
【００４０】
さらに、次では、システムが、電気駆動車両のオンボード装置と、オンボード装置と通信可能なサーバ及び情報提供インフラストラクチャとの組合せによって表現される、本開示の実施例を説明する。しかし、本開示によるシステムを、外部サーバ・インフラストラクチャを伴わない又は気象情報、交通情報、及び／若しくは充電ステーション情報などのサポート・ステーション情報を入手するためにサーバ・インフラストラクチャに接続された１つ若しくは複数のオンボード装置によって実施することもできるし、或いは電気駆動車両のオンボード装置に又は直接的に車両内ネットワーク・ユニットと通信可能な１つ又は複数のサーバ・ステーションを含むサーバ・インフラストラクチャ／情報提供インフラストラクチャによって実施することもできる。
【００４１】
後者の場合に、システムの１つ又は複数のユニットを、移動中に車両に情報を送信し、且つ／又は車両から情報を受信する情報送信／受信ユニットとして表現することができる。具体的には、位置情報入手ユニットを、車両の位置を示す位置情報を車両の移動中に入手する情報受信インターフェースによって表現することができ（車両は、その位置情報を無線で通信することができる）、電力量推定ユニットを、推定された車両の電力源の残り電力量を示す情報を車両の移動中に入手する無線情報受信インターフェースによって表現することができ、且つ／又は通知ユニットを、電力量不足危険性推定ユニットによって推定された電力量不足の危険性が所定のしきい値を超える場合に車両のユーザに通知するために車両に通知情報を送信する無線情報送信インターフェースによって表現することができる。
【００４２】
図１に、本開示の実施例による通信システムにまたがる全般的概要を例示的に示し、この通信システムは、１つ又は複数の電気自動車又はプラグイン・ハイブリッド電気自動車を含む。通信システムは、それぞれのＨＭＩデバイス（ヒューマン・マシン・インターフェース・デバイス）を含むことができるオンボード装置５ａ及び５ｂをそれぞれが含む、サーバ・システム１、交通情報センタ２（又は複数の交通情報センタ）、充電ステーション・センタ３（又は複数の充電ステーション・センタ）、並びに複数の電気自動車４ａ及び４ｂを含む。
【００４３】
例示的に、通信システムは、さらに、パーソナル・コンピュータ、スマートフォン、タブレット・コンピュータ、又は類似物（すなわち、独立のＨＭＩデバイス）など、電気自動車のドライバ又は同乗者が持ち運ぶことのできるモバイル・ユニット７を含む。
【００４４】
オンボード装置５ａ及び５ｂは、通信ネットワークＮを介してサーバ・システム１、交通情報センタ２、充電ステーション・センタ３と通信可能である。たとえば、車両４ａ及びモバイル・ユニット７は、無線通信インターフェース６ａを介して通信ネットワークＮに無線で接続され、車両４ｂは、通信インターフェース６ｂへの有線接続を介して通信ネットワークＮに例示的に接続される（そのような状況は、たとえば、車両４ｂがたとえば充電ステーションで充電されている時に、ＰＬＣとも称するいわゆる電力線接続を介して実現することができる）。さらに、矢印８によって示されるように、モバイル・ユニット７を、車両４ａのオンボード装置５ａに無線で（又はワイヤによっても）接続することができる。
【００４５】
具体的には、サーバ・システム１を、通信ネットワークＮ（ＷｉＦｉ、ＬＡＮ、ＳＡＮ、無線及び／又は非無線のアドホック・ネットワークなどの１つ又は複数の通信技術を含むことができ、潜在的にインターネットを介する接続を含む）を介して交通情報センタ２及び充電ステーション・センタ３と通信することが可能である。
【００４６】
サーバ・システム１を、特に、交通情報センタ２及び充電ステーション・センタ３と、通信ネットワークＮを介してデータを送受信するように構成することができる。それぞれ車両４ａ及び４ｂ内に装備されたオンボード装置５ａ及び５ｂ並びにモバイル・ユニット７は、サーバ・システム１と通信することが可能である（やはり、上で述べたようにインターネットを介する接続を含むことができる通信ネットワークＮを介して）。そのような接続を、間接に又は直接に、たとえばセルラ通信及び／又はＷｉＦｉなどの無線媒体を介して、又はたとえばＰＬＣ（電力線通信）などの有線媒体を介して表現することができる。
【００４７】
交通情報センタ２は、交通情報を提供するように構成され、たとえば、道路事業者又は交通情報サービス・プロバイダによって所有されるシステムによって表現することができ、通信ネットワークを介して路側センサ及び／又は車両から収集された道路交通関連情報を管理するように構成されている。交通情報センタは、ネットワークＮを介してサーバ・システム１に交通関連情報を提供するように構成される。
【００４８】
交通関連情報を、未加工のセンサ・データなどの低コンテキスト・データ並びに／又は道路工事情報、交通渋滞情報、及び／若しくはそれぞれの地点の間の推定された移動時間などの高コンテキスト・データとすることができることに留意されたい。交通情報は、時刻、日付、季節、気象、又は類似物に基づいて統計的に評価された交通情報を含む履歴交通情報をも含むことができる。
【００４９】
充電ステーション・センタ３は、充電ステーション情報を提供するように構成され、たとえば、充電ステーション事業者によって所有されるシステムによって表現でき、このシステムは、その事業者の充電ステーションの状況を管理し、且つ／又は監視するように構成され得る。充電ステーション・センタ３は、関連する充電ステーションの状況情報（位置、利用可能性、充電ユニットの個数及び電力、又は類似物に関する情報など）をサーバ・システム１に提供するように構成され、充電ステーション・センタ３は、さらに、接続されたネットワークＮを介して１つ又は複数の充電ステーションの予約の実行及び／又は取消を可能にするインターフェースとして動作することもできる。
【００５０】
図２に、本開示の実施例による電気駆動車両４の例示的な概略図を示す。電気駆動車両４は、電力源として充電可能バッテリ１０（又は複数のバッテリのシステム）を含む電気自動車（ＥＶ）又はプラグイン・ハイブリッド電気自動車（ＰＨＥＶ）などの電気ベースの車両である。この車両は、オンボード装置５（時々ＨＭＩデバイスとも称する）と、通信ユニット９と、車両内ネットワーク及び制御ユニット１１と、空調デバイス１３及びオーディオ・デバイス１２などの付加的な電気デバイスと、電気駆動車両４を駆動する電力並びに電気デバイス１２及び１３と、通信ユニット９と、オンボード装置５と、車両内ネットワーク及び制御ユニット９とのための電力を供給するのに使用できるバッテリ１０とを含む。オンボード装置５は、車両に取り付けられたオンボード・ユニットによって、或いは車両に取付可能であり接続可能な車両のドライバ又は乗客によって車両に持ち込まれる外部モバイル・デバイス（たとえば、ＰＤＡ、スマートフォンなどの携帯電話機、又は類似するもの）によって表現することができる。
【００５１】
車両内ネットワーク及び制御ユニット９は、車両４の内部機器の間である種のポリシに従った通信を実現するためのバスなどの接続を提供するように構成される。たとえば、車両内ネットワーク及び制御ユニット９は、ＣＡＮ（ｃｏｎｔｒｏｌｌｅｒ  ａｒｅａ  ｎｅｔｗｏｒｋ）システム、ＴＴＰ（ｔｉｍｅ−ｔｒｉｇｇｅｒｅｄ  ｐｒｏｔｏｃｏｌ）システム、及び／又はＦｌｅｘＲａｙシステムを含むことができる。
【００５２】
通信ユニット９は、たとえばセルラ、Ｂｌｕｅｔｏｏｔｈ（登録商標）、ＷｉＦｉ、ＰＬＣ（電力線通信）、又は類似物などの１つ又は複数の通信媒体を介して外部デバイスにデータを送信し、外部デバイスからデータを受信するように構成される。通信ユニット９を、テレマティックス制御ユニット（ＴＣＵ）などの独立した通信モジュールによって、並びにオンボード装置５などの特定のデバイスに直接に取り付けることによって、表現することができる。図２に例示的に図示されているように、通信ユニット９は、ネットワークＮを介する通信（たとえば、他の車両、サーバ・システム１、交通情報センタ２、充電ステーション・センタ３、又は類似するものへの）又は無線（又は有線）接続を介するモバイル・ユニット７への直接の通信を可能にすることができる。
【００５３】
オンボード装置５は、ユーザ（たとえば、車両のドライバ及び／又は他の乗客）が、ナビゲーション・デバイスなどの車両関連デバイス及び／又はたとえばネットワークＮを介して提供され得るナビゲーション・サービス又は商用サービスなどの車両関連情報サービスを操作し、且つ／又は制御することを可能にするように構成される。実施例によれば、オンボード装置５を、車両内ネットワーク及び制御ユニット１１を介してバッテリ情報を入手するように構成することができ、オンボード装置５は、さらに、通信ユニット９及び通信ユニット９が接続しているネットワークＮを介して外部デバイス、たとえばサーバ・システム１、交通情報センタ２、及び／又は充電ステーション・センタ３と通信するように構成される。
【００５４】
具体的には、本開示の実施例によれば、オンボード装置５は、車両４の位置を示す位置情報を車両４の移動中に入手する（たとえば、ＧＰＳ又はＧＡＬＩＬＥＯなどの衛星測位システムを介して）位置情報入手ユニット、車両４の電力源としてのバッテリ１０の残り電力量を車両４の移動中に推定する電力量推定ユニット、推定された残り電力量に基づいて電力量不足の危険性を車両４の移動中に推定する電力量不足危険性推定ユニット、及び電力量不足危険性推定ユニットによって推定された電力量不足の危険性が所定のしきい値を超える場合にユーザに通知する、表示ユニット又は他のヒューマン・マシン・インターフェースなどの通知ユニットを含むシステムを表現することができる。オンボード装置５は、さらに、車両４の速さ及び／又は速度を示す速さ情報及び／又は速度情報を車両４の移動中に入手する速さ及び／又は速度情報入手ユニット、並びに／或いは経路ナビゲーション計算のためのナビゲーション情報すなわち道路網情報、地図情報などの情報を入手するナビゲーション情報入手ユニットを含むことができる。
【００５５】
その一方で、上のオンボード装置５によって実施されるＨＭＩデバイスは、必ずしも車両４内に直接に装備される必要はない。その代わりに、モバイル・ユニット７などの独立ＨＭＩデバイスを設けることができ、この独立ＨＭＩデバイスは、車両４内に直接に装備されるのではなく、上で説明したオンボード装置５に似て車両関連情報サービスにアクセスする機能性をユーザに与えることができるもう１つのデバイスとして車両４のドライバ又は別の乗客が持ち運ぶことができる。たとえば、ＰＮＤ（ポータブル・ナビゲーション・デバイス）、携帯電話、スマートフォン、パーソナル・コンピュータ、又はタブレット・コンピュータを、さらにナビゲーション・サービスを提供できる可能性があるＨＭＩデバイスとして動作するように構成することができる。そのような独立ＨＭＩデバイス７を、バッテリ１０並びに電気デバイス１２及び１３などの車両の内部機器との通信及び協調のために、車両４内に装備された通信ユニット９を介して車両内システムに通信接続することができる。
【００５６】
具体的には、そのような独立ＨＭＩデバイス（モバイル・デバイス７）は、本開示の実施例によれば、たとえば車両４のドライバ又は別の乗客によって持ち運ばれることによって、車両４及び／又はＨＭＩデバイス自体の位置を示す位置情報を車両４の移動中に入手する（たとえば、ＧＰＳ又はＧＡＬＩＬＥＯなどの衛星測位システムを介して）位置情報入手ユニット、車両４の電源としてのバッテリ１０の残り電力量を車両４の移動中に推定する電力量推定ユニット、推定された残り電力量に基づいて電力量不足の推定された危険性を車両４の移動中に推定する電力量不足危険性推定ユニット、及び電力量不足危険性推定ユニットによって推定された電力量不足の推定された危険性が所定のしきい値を超える場合にユーザに通知する、表示ユニット又は他のヒューマン・マシン・インターフェース・ユニットなどの通知ユニットを含むシステムを表現することができる。
【００５７】
サーバ・システム１は、テレマティクス・サービス・センタに似て、車両４内に装備されるか車両４に接続されるＨＭＩデバイス（オンボード装置５及び／又はモバイル・ユニット７など）を介して車両のドライバ又は乗客にサービスを提供する１つ又は複数のサーバからなるサーバ・システムである。サーバ・システム１を、複数のサーバから構成することができ、この複数のサーバを、一ヶ所に配置し又は地理的に分散させることができる。
【００５８】
本開示の実施例によるサーバ・システム１を、例示的且つ概略的に図３に示す。図３のサーバ・システム１は、データを処理するように構成された計算ユニット１１０（処理ユニットなど）と、たとえば電気駆動車両４のユーザに関するユーザ情報１２１を示すデータ（たとえば、あるユーザの選好に関するデータ又は類似物）、車両に関する車両情報１２２を示すデータ、交通情報１２３を示すデータ（たとえば、交通情報センタ２から受信したデータ及び／又はサーバ・システム１に接続された交通センサによって直接入手したデータ）、充電ステーション情報１２４を示すデータ（たとえば、充電ステーション・センタ３から受信したデータ）、及び／又は気象情報１２５を示すデータ（たとえば、気象情報提供サーバから受信したデータ及び／又はサーバ・システム１に接続された気象センサ又は気象ステーションによって直接に入手したデータ）などの情報を示すデータを格納するように構成されたメモリ・ユニット１２０と、サーバ・システム１をたとえば図１に示されているようにネットワークＮを介して通信することを可能にする通信ユニット１３０とを含む。通信ユニット１３０は、サーバ・システム１が接続されたネットワークＮを介して他のデバイス又はシステムと通信することを可能にする。たとえば、通信ユニット１３０を、イーサネット（登録商標）・モジュールによって実現することができる。
【００５９】
実施例による計算ユニット１１０は、推定された残り電力量に基づいて、電力量不足の危険性を車両４の移動中に推定するように構成され、これによって、電力量不足危険性推定ユニットを具現する。サーバ・システム１の通信ユニット１３０を、車両の位置を示す位置情報を移動中に入手する位置情報入手ユニット及び車両の電力源の残り電力量を移動中に推定する電力量推定ユニットを実施するとみなすことができる。というのは、車両４の位置及びバッテリ１０の電力量レベルを示す情報を、車両４から通信ユニット１３０を介し、ネットワークＮを通じて入手することができるからである。また、サーバ・システム１の通信ユニット１３０を、電力量不足危険性推定ユニットによって推定された電力量不足の危険性が所定のしきい値を越える場合にユーザに通知する通知ユニットを実施するとみなすことができる。というのは、サーバ・システム１が、通信ユニット１３０を介し、ネットワークＮを介して車両４のユーザにそのような通知を送信することができるからである。
【００６０】
実施例によれば、サーバ・システム１は、繰り返して若しくは周期的にさえ、又はイベントトリガによって、車両４のバッテリ状況、車両４の目的地場所、及び／又は車両４の現在場所を示す車両４から受信した車両情報１２２に基づいて、並びにオプションで充電ステーションの利用可能性及び位置情報１２４、気象情報１２５、並びに／又は交通情報１２３にさらに基づいて、車両４のバッテリ不足の危険性を監視する。
【００６１】
バッテリ不足の危険性が計算ユニット１１０によって検出された後に、サーバ・システム１は、通信ユニット１３０を介し、ネットワークＮを通じて、その危険性について車両４のドライバ及び／又は乗客に知らせることができる。また、好ましくは、バッテリ充電のための１つ又は複数の使用可能な所及び／若しくはタイミングをユーザに自律的に提案することさえでき、且つ／又はバッテリ不足の発生の危険性を減らすことができる目的地への代替経路を自律的に提案することができる。
【００６２】
図３に例示的且つ概略的に示されているように、実施例による計算ユニット１１０は、危険性監視ユニット１１１、危険性計算ユニット１１２、危険性通知ユニット１１３、充電ステーション・スコア計算ユニット１１４、解決策提案ユニット１１５、充電ステーション予約制御ユニット１１６、及び情報収集ユニット１１７を含む。計算ユニット１１０を、ソフトウェア、ハードウェア、又はその組合せによって実現することができる。
【００６３】
危険性監視ユニット１１１は、車両４のバッテリ不足の危険性及び／又は予約された充電ステーションに予約時刻に到着することの遅れの危険性が事前に決定されたしきい値より高いかどうかを繰り返し（又は、周期的に若しくはイベントトリガに基づいて）チェックするように構成される。危険性計算ユニットは、メモリ・ユニット１２０内で使用可能な情報に基づいて、車両４のバッテリ不足の危険性及び／又は予約された充電ステーションに予約時刻若しくはユーザによって指定される所期の到着時刻に到着することの遅れの危険性を計算するように構成される。危険性通知ユニット１１３は、危険性計算ユニット１１２によって計算された危険性に関する情報に基づいてすなわち検出されたバッテリ不足の危険性又は遅れの危険性の場合に、通信ユニット１３０を介し、ネットワークＮを通じて、及び車両４内に装備されるか車両４に接続されたＨＭＩデバイスを介して（たとえば、オンボード・ユニット５のＨＭＩを介して及び／又はモバイル・ユニット７のＨＭＩを介して）車両４のドライバ及び／又は乗客に通知を発行するように構成される。
【００６４】
さらに、検出されたバッテリ不足の危険性又は遅れの危険性の場合に、充電ステーション・スコア計算ユニット１１４は、利用可能性、位置、使用可能な設備（たとえば、充電ステーションが急速充電用の急速充電ユニット及び／又は通常充電ユニットを提供するかどうか）に基づき、さらには可能性としてユーザの事前に設定された選好あるいは動的に生成されるユーザ・プロファイル（たとえば、機械学習）に基づいたユーザ情報１２１によって示される充電ステーション候補ごとのユーザの選好にも基づいて、充電ステーション情報１２４内で示される充電ステーション候補のうちの１つ、複数、又はそれぞれのスコア値を計算するように構成される。
【００６５】
解決策提案ユニット１１５は、たとえば充電ステーション・スコア計算ユニット１１４によって計算されたスコアに基づいて、検出された危険性に対する潜在的解決策に関連する１つ又は複数の提案する充電ステーション候補を示すように構成される。
【００６６】
充電ステーション予約制御ユニット１１６は、たとえばユーザが提案された充電ステーション候補のうちの１つ又は複数を選択する場合に、ユーザの代わりにユーザからの要求に従って充電ステーション候補に関連する予約を行い、且つ／又は予約を取り消すように構成される。
【００６７】
情報収集ユニット１１７は、通信ユニット１３０を介して各種情報１２１から１２５を周期的に又は繰り返して収集し、これをメモリ・ユニット１２０に格納するためのものである。メモリ・ユニット１３０内には、ユーザ情報１２１、車両情報１２２、交通情報１２３、充電ステーション情報１２４、及び気象情報１２５が格納される。
【００６８】
ユーザ情報１２１は、サーバ・システム１によって提供されるサービスに関するユーザＩＤ、サーバ・システム１がユーザの代わりに充電ステーション予約を実行することを可能にする、選好情報及び／又はログイン情報などの充電ステーション・ユーザ情報、ユーザに関連する車両ＩＤ、関連するＨＭＩデバイス情報、充電ステーション・スコア計算に使用される充電ステーション選好パラメータ、監視モードがアクティブになっているか否かをチェックするための監視モード・フラグ、選択された危険性監視項目（たとえば、サーバ・システム１が遅れの危険性及び／又はバッテリ不足の危険性を監視しなければならないのかどうか）などを含むことができる。一般に、危険性監視項目は、サーバがユーザのために監視する必要がある危険性タイプを表すことができる。たとえば、危険性監視項目は、交通渋滞、バッテリ不足、及び目的地への遅れた到着などの危険性を含むことができる。
【００６９】
車両情報１２２は、バッテリ状況に関する情報（たとえば、バッテリ１０の使用可能エネルギ供給レベル及び／又は劣化に関する情報）、車両のｃｏｎｓｔａｎｔ  ｄｒａｇ（Ｃｄ）値、車両全体の重量、タイヤの空気圧、電気デバイス使用状況（たとえば、空調デバイス１３及びオーディオ・デバイス１２などの車両４の内部デバイスの電気エネルギ消費レベル）、電気走行マイル数（ｅｌｅｃｔｒｉｃｉｔｙ  ｍｉｌｅａｇｅ）（たとえば、バッテリ状況、電気デバイス使用状況、地図情報、及び／又は道路情報に基づく残り移動可能距離）、車両４の現在場所、及び／又はオプションで目的地場所を含むことができる。
【００７０】
交通情報１２３は、交通渋滞情報、交通事故情報、道路工事情報、移動時間情報などを含むことができる。そのような交通情報１２３を、ネットワークＮを介して交通情報センタ２から収集することができ、且つ／或いは路側センサ情報及び／又は交通情報センタ２、路側センサ、及び／若しくは車両４ａ、４ｂからネットワークＮを介して収集された車両運転情報に基づいてサーバ・システム１によって判定することができる。
【００７１】
充電ステーション情報１２４は、１つ又は複数の充電ステーションについて、場所に関する情報、充電機器情報（たとえば、どのタイプの充電ユニット及び何個の充電ユニットが充電ステーションで提供されているのか）、利用可能性情報（たとえば、どの充電ユニットがどの時間又はどの時刻に使用可能であるのかに関する情報）、及び／又はそれぞれの充電ステーションでの予約機能性情報を含むことができる。
【００７２】
具体的には、充電機器情報は、何個の通常充電ユニット及び／又は急速充電ユニットが装備されているのかを指定してもよく、そのような情報を、車両４のバッテリ１０を充電するのに必要な時間の計算に使用することができる。利用可能性情報は、各タイプの充電ユニットがいつ何個使用可能であるのかを指定してもよい。予約機能性情報は、充電ステーションがネットワークＮを介して充電ユニットの予約を行う／予約を取り消す機能性を提供しているのかどうかを指定してもよく、提供する場合に、さらに、ネットワークＮを介して充電ユニットの予約の実行／予約の取消のための予約手順を処理するのに必要な予約インターフェース情報を提供してもよい。
【００７３】
気象情報１２５は、１つ又は複数の地域に関する、たとえば雨、雪、風、温度などの現在の気象条件を示す情報を含んでいてもよく、１つ又は複数の地域又は地点の将来の天気予報を提供してもよい。気象情報１２５は、ネットワークＮを介して、たとえばネットワークＮに接続された気象情報提供サーバから並びに／又は地域気象情報及び／若しくは地点気象情報を提供するインターネット・サイトから収集されてもよい。
【００７４】
通信ユニット９、１３０、及び通信手段２３０、メモリ・ユニット１２０及び２２０、計算ユニット１１０及び計算手段２１０、危険性監視ユニット１１１、危険性計算ユニット１１２、危険性通知ユニット１１３、充電ステーション・スコア計算ユニット１１４、解決策提案ユニット１１５、充電ステーション予約制御ユニット１１６、情報収集ユニット１１７、車両状況チェック・ユニット２１１、位置判定ユニット２１２、車両情報送信ユニット２１３、ＨＭＩ制御ユニット２１４、並びに／又はナビゲーション・ユニット２１５などの上で説明したユニットを、ソフトウェア及び／又はハードウェアによって実現できることに留意されたい。具体的には、上で述べたユニット及びそれぞれの機能を、たとえば、１つ又は複数のＣＰＵに、格納されたデータ、たとえば外部記憶装置からストレージ・メモリにロードされるプログラム及び／又はデータに基づいて１つ又は複数の所定の対応するプログラムを実行させることによって、実施してもよい。そのようなプログラムは、メモリ・ユニット１２０及び２２０内又は外部記憶デバイス内に事前に格納されていてもよく、或いは、追加のインターフェース・ユニットを介して又は通信ユニット（通信ユニット９、１３０、及び２３０）のうちの１つ又は複数などを介して別の装置から必要な時にロードされてもよい。
【００７５】
本開示の実施例によるＨＭＩデバイス（たとえば、オンボード・ユニット５又はモバイル・ユニット７）を、例示的且つ概略的に図４に示す。図４のＨＭＩデバイス５（又は７）は、データを処理するように構成された計算ユニット２１０（処理ユニットなど）と、たとえば電気駆動車両４のユーザに関するユーザ情報２２１を示すデータ（たとえば、あるユーザの選好データ又は類似物）、車両４に関する車両情報２２２を示すデータ、交通情報２２３を示すデータ（たとえば、サーバ・システム１、交通情報センタ２から受信したデータ、及び／又はＨＭＩデバイスに接続された交通センサによって直接入手したデータ）、１つ又は複数の充電ステーションに関する予約に関連する予約情報２２４を示すデータ、監視すべき危険性タイプの選択を示す危険性情報２２５を示すデータ、並びに／又はナビゲーション地図データ及びオプションで目的位置に関する情報を含む１つ又は複数の選択された経路に関する追加情報を含むナビゲーション情報２２６を示すデータなどの情報を示すデータを格納するように構成されたメモリ・ユニット２２０と、たとえば図１に示されているようにＨＭＩデバイスを、ネットワークＮを介して通信することを可能にする通信ユニット２３０と、を含む。
【００７６】
上で述べたように、メモリ・ユニット２２０は、ユーザ情報２２１を示すデータ、車両情報２２２を示すデータ、交通情報２２３を示すデータ、予約情報２２４を示すデータ、危険性情報２２５を示すデータ、及びナビゲーション情報２２６を示すデータを格納するように構成される。
【００７７】
ユーザ情報２２１は、サーバ・システム１によって提供されるサービスに関するユーザＩＤ、サービスに関する構成パラメータ、又は類似物を含むことができる。車両情報２２２は、車両ＩＤ、車両状況チェック・ユニット２１１によって判定されたバッテリ状況及び電気デバイスのエネルギ消費状況、位置判定ユニット２１２によって判定された現在の地理的場所、車両４の速さ及び／又は速度、或いは類似物を含むことができる。交通情報２２３は、ネットワークＮを介してサーバ・システム１から及び／又は交通情報センタ２から受信できる、交通渋滞情報、交通事故情報、道路工事情報、移動時間情報、又は類似物を含むことができる。
【００７８】
予約情報２２４は、１つ又は複数の予約された充電ステーションの場所及び予約されたタイム・スロットを含むことができる。危険性情報２２５は、監視すべき危険性のリスト、たとえば、バッテリ不足の危険性、予約された充電ステーションに予約されたタイム・スロットに到着することの遅れの危険性、及び／又はユーザによって指定された到着時刻にユーザによって指定された目的地に到着することの遅れの危険性などの危険性を示すことができる。予約情報を、サーバ・システム１又は充電ステーション・センタから送信することができる。ナビゲーション情報２２６は、ナビゲーションのための地図データ及び目的場所を含むことができる。
【００７９】
図４による計算ユニット２１０は、車両状況チェック・ユニット２１１、位置判定ユニット２１２、車両情報送信ユニット２１３、ＨＭＩ制御ユニット２１４、及びナビゲーション・ユニット２１５を例示的に含む。
【００８０】
車両状況チェック・ユニット２１１は、車両内ネットワーク及び制御ユニット１１を介して車両状況を繰り返して又は周期的にチェックするように構成され、車両状況は、たとえば、バッテリ１０のバッテリ状況、車両４の速さ及び／又は速度、車両４内の電気デバイス１２及び１３の電気消費状況、並びに類似のものを含むことができる。
【００８１】
位置判定ユニット２１２は、地理的位置情報を判定するように構成される。位置判定ユニット２１２は、ＧＰＳ又はＧＡＬＩＬＥＯなどの衛星測位システムによって現在場所を判定できる衛星測位システム・モジュールを含むことができる。位置判定ユニット２１２を、図４の実施例に示されているようにＨＭＩデバイスに一体化してもよいし、或いは、車両内ネットワーク及び制御ユニット１１を介してアクセス可能にするために車両内ネットワークに独立に接続してもよい。
【００８２】
車両情報送信ユニット２１３は、車両状況チェック・ユニット２１１によって入手された車両状況情報及び位置判定ユニット２１２によって入手された地理的位置情報の少なくとも一部を、ネットワークＮを介してサーバ・システム１に周期的に送信するために、通信ユニット２３０を制御するように構成される。
【００８３】
ＨＭＩ制御ユニット２１４は、ヒューマン・マシン・インターフェース・ユニット２４０を介してＨＭＩデバイスの出力及び入力を制御するように構成される。ヒューマン・マシン・インターフェース・ユニット２４０は、ユーザに情報を表示する表示ユニットを含むことができる、ユーザに情報を出力する出力ユニット、サウンドによって情報を出力するサウンド出力インターフェース・ユニット、及び／又は音声によって情報を出力する音声出力インターフェース・ユニットを含むことができる。さらに、ヒューマン・マシン・インターフェース・ユニット２４０は、キーボード・ユニット、ボタン、回転ノブ、及び／又はタッチ・スクリーンなどのユーザが情報を入力する入力ユニットを含むことができる。
【００８４】
ナビゲーション・ユニット２１５は、ナビゲーション情報２２６及び交通情報２２３に基づいて車両４のユーザにナビゲーション・サービスを提供するように構成される。たとえば、ナビゲーション・ユニット２１５は、出発位置から目的位置までの移動経路を計算する経路計算ユニットを含むことができ、出発位置及び目的位置は、ユーザによってヒューマン・マシン・インターフェース・ユニット２４０を介して入力され得る。また、出発位置を、位置判定ユニット２１２によって判定された現在位置、又は充電センタ若しくはサーバ・システム１から受信された時に予約情報２２４及び／若しくは充電ステーション情報１２４内で示される充電ステーションの位置とすることができる。経路計算ユニットを、さらに、ナビゲーション情報２２６、交通情報２２３、及び／又はユーザ情報２２１が車両４のドライバの平均運転挙動に関連するパラメータを示す場合に、これらの情報に基づいて、計算された経路の移動時間を推定するように構成することができる。
【００８５】
図５に、電気駆動車両４のユーザをサポートする方法を例示的且つ概略的に示し、ここで、図５では、方法ステップが、サーバ側、たとえば図２に示されたサーバ・システム１で例示的に実行される。
【００８６】
まず、サーバ・システム１は、ユーザからの要求がネットワークＮを介し、通信ユニット１３０を介して受信されるのを待つ（ステップＳ１）。サーバ・システム１が、ユーザから通信ユニットを介して監視モード・アクティブ化要求を受信すると（ステップＳ２）、サーバ・システム１は、ステップＳ３でユーザから受信した監視モード・アクティブ化要求に従って、ユーザに関する危険性監視のプロセスを開始する。
【００８７】
監視モード・アクティブ化要求は、要求するユーザを識別するユーザＩＤ、ユーザ及びユーザの要求を認証する認証データ、そのユーザが乗っている車両４を識別する車両ＩＤ、及び監視すべき危険性監視項目を含むことができる。監視モード・アクティブ化要求は、さらに、ユーザによって使用されるＨＭＩデバイス（たとえば、オンボード・ユニット５又はモバイル・ユニット７）の送信元ＩＰアドレスなどの送信元ＨＭＩデバイス情報及び１つ又は複数の充電ステーションの予約に関連するユーザの選好を示す充電ステーション選好パラメータを含むことができる。上で述べた情報の一部を、ユーザによってサーバ・システム１のメモリ・ユニット１２０内に事前に登録することもできる。その場合に、必ずしも、監視モード・アクティブ化要求にそのような情報を含める必要がない。
【００８８】
監視モード・アクティブ化要求に従って監視モードをアクティブ化することによる危険性監視プロセスの開始（ステップＳ３）の後に、元のプロセスは、変更された監視モード・アクティブ化要求又は監視モード非アクティブ化要求などのユーザからの別の要求を待つために、ステップＳ１に戻る。ステップＳ３は、さらに、要求元のユーザが要求された監視サービスに加入しているか否かをチェックするためにユーザ認証を含むこともでき、さらに、サーバ・システム１のメモリ・ユニット１２０内に格納された情報に基づいて、ユーザＩＤが車両ＩＤに関連するかどうかをチェックすることもできる。
【００８９】
さらに、このプロセスは、ステップＳ４に継続し、ここで、サーバ・システム１は、ステップＳ３の結果についてユーザに知らせるためにユーザのＨＭＩデバイスに応答を送信する。たとえば、サーバ・システム１は、監視モード・アクティブ化要求が受信したこと、又は受信した監視モード・アクティブ化要求がユーザ認証に基づいて許可されたのか又は拒否されたのかさえも示す、応答を発行してもよい。
【００９０】
ステップＳ５では、監視モードがアクティブ化されているか否かを判定し、その結果がｎｏである場合には、プロセスは終了する（ステップＳ６）。しかし、監視モードがアクティブ化されている（ステップＳ５の結果がｙｅｓ）場合には、このプロセスはステップＳ７に進み、ここで、関連する車両４の車両情報を、車両４及び／又はメモリ・ユニット１２０から入手する。
【００９１】
ステップＳ７を異なる形で実現できることに留意されたい。たとえば、サーバ・システム１は、車両４内で車両情報を管理するＨＭＩデバイス（たとえば、オンボード・ユニット５又はモバイル・ユニット７）又は他の車両内機器デバイスに要求を送信し、車両４から要求した車両情報を受信する形でもよい。もう１つの実例によれば、ＨＭＩデバイス又は車両が、要求されなくても車両情報をサーバ・システム１に周期的に送信する形でもよい。サーバ・システムは、そのようにして車両情報を受信し、この情報を用いて、ステップＳ７で用いられるメモリ・ユニット１２０内に格納された車両情報１２２を更新することができる。
【００９２】
車両情報を入手（ステップＳ７）した後に、このプロセスは、受信した監視モード・アクティブ化要求で指定された危険性監視項目の発生の危険性を計算するステップＳ８に継続する。危険性監視項目は、たとえば、交通渋滞の発生、バッテリ不足の発生、及びセットされた目的地への遅れた到着の発生を含むことができ、セットされた目的地は、それに関する特定のタイム・スロットの予約が行われた充電ステーションの場所を表すことができる。危険性計算の結果として、危険性監視項目の発生に関する計算された危険性を示す定量化された値（危険性監視項目の発生の危険性のパーセンテージ・レベルなど）又は危険性監視項目の発生に関する計算された危険性のレベルを表す分類されたタイプが、選択された危険性監視項目ごとに出力される。
【００９３】
たとえば、交通渋滞の発生が、危険性監視項目として選択される場合には、危険性計算ユニット１１２は、交通情報１２３（リアルタイム交通情報及び／又は統計交通情報に関係するものとすることができる）に基づいて、目的地への経路上での交通渋滞の発生の危険性があるかどうか、又は推定された通過時間付近に交通渋滞が発生する可能性があるかどうかを判定する。
【００９４】
たとえば、バッテリ不足の発生が、危険性監視項目として選択される場合には、危険性計算ユニット１１２は、たとえば現在位置から目的地の位置までの経路の運転距離、車両４の現在位置から目的位置までの推定移動時間、車両４の電気走行マイル数、車両４の電気デバイス（たとえば、デバイス１２及び１３）の電気デバイス使用量、並びに／又は気象情報１２５に基づいて、目的地まで移動する時の推定バッテリ消費を判定する。
【００９５】
たとえば、目的地への遅れた到着の発生が、危険性監視項目として選択される場合には、危険性計算ユニット１１２は、車両４の現在位置から目的位置までの推定移動時間を判定し、推定移動時間及び現在時刻に基づいて、車両が定刻に目的地に到着できるかどうかをチェックする。
【００９６】
次のステップＳ９では、危険性監視ユニット１１１によって、選択された危険性監視項目のうちの１つ又は複数が、指定されたしきい値を超える計算された危険性を有するかどうかが判定される。各選択された危険性監視項目の計算された危険性がそれぞれの指定されたしきい値未満である場合（ステップＳ９がｎｏを返す）には、このプロセスは、待機フェーズに入り、その後、待機フェーズの後にステップＳ５からＳ９までを繰り返す。図５の実施例によれば、待つためにタイマがセットされ（ステップＳ１０）、サーバ・システム１は、危険性チェックの次のラウンド（Ｓ１１）まで、タイマ満了を待つ（ステップＳ１１）。したがって、ステップＳ５からＳ９までを、すべての選択された危険性監視項目を動的に監視するために繰り返して又は周期的に実行することができる。
【００９７】
しかし、選択された危険性監視項目のうちの少なくとも１つが、それぞれの指定されたしきい値を超える計算された危険性を有する（ステップＳ９がｙｅｓを返す）場合には、このプロセスは、次のステップＳ１２に進み、ここで、解決策提案ユニット１１５が、計算された危険性が指定されたしきい値を超えた危険性監視項目それぞれの発生を避けるために実施可能な１つ又は複数の推奨される解決策を判定する。
【００９８】
たとえば、ステップＳ９で、交通渋滞の発生の危険性が、事前に決定されたしきい値を超えると判定された場合には、解決策提案ユニット１１５は、現在位置から目的位置までの１つ又は複数の代替経路を計算し、計算された代替経路の推定移動時間を計算し、すべての計算された代替経路の中で最短の移動時間及び／又は最小のバッテリ消費を必要とし、現在セットされている経路より短い移動時間を必要とする代替経路を、推奨される解決策としてセットすることができる。
【００９９】
その一方で、たとえば、ステップＳ９で、バッテリ不足の発生の危険性が事前に決定されたしきい値を超えると判定される場合には、解決策提案ユニット１１５は、充電ステーション情報１２４及び車両情報１２２に基づいて、残りバッテリ・レベルで車両４が到達できる利用可能な充電ステーションが存在するかどうかの検索を実行することができる。１つ又は複数のそのような利用可能な充電ステーションを充電ステーション情報１２４及び車両情報１２２に基づいて識別できる場合には、解決策提案ユニット１１５は、「バッテリ充電」を推奨される解決策の１つとしてセットすることができる。さらに、バッテリ不足の発生の危険性が高まった主な理由が、現在、設定されている経路に沿った交通渋滞、道路工事、又は交通事故にあると判定される場合には、解決策提案ユニット１１５は、現在位置から目的位置ヘの１つ又は複数の代替経路を計算し、バッテリ不足の発生の危険性の減少につながる、より少ないバッテリ消費を必要とする代替経路が存在するかどうかをチェックすることができる。そのような代替経路が見つかる場合には、解決策提案ユニット１１５は、推奨される解決策のもう１つのオプションとして「迂回経路」をセットすることもできる。
【０１００】
さらに、たとえば、ステップＳ９で、目的地への遅れた到着の発生の危険性が、事前に決定されたしきい値を超えると判定される場合には、解決策提案ユニット１１５は、現在位置から目的位置への１つ又は複数の代替経路を計算し、計算された代替経路の推定移動時間を計算し、すべての計算された代替経路の中で最短の移動時間を必要とし、現在設定されている経路より短い移動時間を必要とする代替経路を推奨される解決策として設定することができる。より適切には、目的地が、特定のタイム・スロットについて予約が行われた充電ステーションの場所であり、推定遅れ時間があるしきい値を超えると判定される場合には、解決策提案ユニット１１５は、推奨される解決策の１つとして「予約更新」（たとえば、充電ステーションでの予約の再予約、充電ステーション予約の取消、別のより近い充電ステーションでの新しい予約の実行、又は類似物）をセットすることができる。
【０１０１】
ステップＳ９の後に、サーバ・システム１は、ヒューマン・マシン・インターフェース・ユニット２４０を介して、検出された危険性（１つ又は複数）及び対応する推奨される解決策についてユーザに通知するためにステップＳ８で計算された危険性情報を示すデータ及びステップＳ１２で判定された推奨される解決策をユーザのＨＭＩデバイスに送信する。その後、監視モード非アクティブ化要求がサーバ・システム１で受信されない限り、このプロセスは、ステップＳ５からＳ９や状況に応じてステップＳ１２及びＳ１３とを再び実行するために、待機フェーズ（ステップＳ１０及びＳ１１）に進む。
【０１０２】
図５の例示的流れ図では、メイン・ループは、タイマによってトリガされるが、イベントによってトリガされる、すなわち、イベントトリガによることも可能である。たとえば、サーバ・システム１が、交通事故及び／又は交通渋滞に関する情報を受信する場合に、サーバ・システム１は、交通事故情報を受信した後に、即座に危険性監視プロセスをトリガすることができる。それを行うことによって、サーバ・システム１は、さらによりすばやく状況変化に有利に動的に反応することができる。
【０１０３】
さらに、ステップＳ２で、サーバが、他のタイプの要求を受信できることも可能である。たとえば、サーバ・システム１が、対応するユーザから１つ又は複数の選択された監視される危険性項目に関連する監視モード非アクティブ化要求を受信する場合に、サーバ・システム１は、対応する危険性監視モード・フラグに偽をセットすることができ、その結果、アクティブ化された危険性監視プロセスは、ステップＳ５が結果ｎｏを与えるので、非アクティブ化された監視される危険性項目について終了するようになる。
【０１０４】
監視モードのアクティブ化及び非アクティブ化のほかに、設定更新要求及びアクション要求を同様に処理することができる。設定更新要求は、ユーザがサービスの設定を変更したい時に発行され、アクション要求は、ユーザが、充電ステーションの予約／取消を行うか、代替経路を計算するなど、サーバ・システム１に特定のアクションを実行してほしい時に発行される。
【０１０５】
図５に示されたサーバ・プロセスに対応するプロセスの例示として、ＨＭＩデバイス（又はモバイル・ユニット７などの独立ＨＭＩデバイス）は、図６に示された電気駆動車両４のユーザをサポートする例示的且つ概略的な方法に従ってユーザ及びサーバ・システム１との相互作用を処理することができる。
【０１０６】
第１ステップＳ１００では、ＨＭＩ制御ユニット２１４は、危険性監視サービスを含むことができるアプリケーションの１つの可能な実例としてのナビゲーション・アプリケーションなど、危険性監視サービスを含む運転支援アプリケーションがユーザによって起動されているか否かをチェックする。そうではない場合（Ｓ１００がＮｏを返す）には、このプロセスは、危険性監視サービスがアクティブ化されるまで、継続してステップＳ１００を繰り返す。
【０１０７】
そうではなく、ステップＳ１００がｙｅｓを返す場合には、ヒューマン・マシン・インターフェース・ユニット２４０は、アプリケーションのメイン画面をユーザに表示し（ステップＳ１０１）、監視モード・パラメータを選択する手段及び／又は１つ若しくは複数の危険性監視項目を選択する手段を含む監視モードを選択する手段をユーザに与える。ユーザが、アプリケーション内で監視モードを選択する（ステップＳ１０２がｙｅｓを返す）場合には、このプロセスは、次のステップに進む（ステップＳ１０４）。そうではない（Ｓ１０２がｎｏを返す）場合には、ＨＭＩデバイスは、他のアプリケーションを実行し、メイン画面を表示するステップＳ１０１に戻ることができる。
【０１０８】
監視モードが選択された（ステップＳ１０２がｙｅｓを返す）後に、車両状況チェック・ユニット２１１は、ステップＳ１０４で車両ＩＤ、バッテリ状況、及び電気デバイス使用状況などの車両情報２２２を入手し、ユーザＩＤ及びユーザのために格納された設定パラメータなどのユーザ情報２２１を入手する（ステップＳ１０５）。その後、ＨＭＩデバイスは、ヒューマン・マシン・インターフェース・ユニット２４０を介して、入手した監視モードの設定パラメータの要約を示す要約画面を表示ユニット内で示し、ユーザの確認を求める（ステップＳ１０６）。
【０１０９】
これに関して、ヒューマン・マシン・インターフェース・ユニット２４０の表示ユニットを介してユーザに示される要約画面５００を例示的に図７に示す。この要約画面は、ユーザが現在選択されている設定パラメータの要約を確認し又は拒否することを可能にする画面ボタン５０１及び５０２を例示的に含む。画面フィールド５０３には、交通事故、交通渋滞、及び道路工事などの交通関連イベントの発生、バッテリ不足の発生、及び遅れた到着時刻の発生を含む複数の利用可能な危険性監視項目が示されている。
【０１１０】
フィールド５０３では、ユーザは、示された危険性監視項目のうちのどれを監視すべきか（現在はバッテリ不足及び到着時刻が選択されている）、及びそれぞれの計算される危険性がそれぞれのしきい値を超えるかどうかの判定で（たとえば、上で説明したステップＳ９で）どの危険性しきい値を使用すべきかを選択することができる。要約画面５００では、符号５０４は、現在セットされている目的地（たとえば、都市Ａの充電ステーション）に関する情報に関連し、符号５０５は、遅れた到着の発生の危険性監視項目に関連する危険性計算に使用すべき目的地のセットされた所期の到着時刻に関する情報に関連する。
【０１１１】
さらに、要約画面のフィールド５０６では、ユーザは、目的地への到着の前のバッテリ不足の発生の危険性に影響する可能性がある電力消費の推定に関して電気デバイスを監視すべきかどうか及びどの電気デバイスを監視すべきかを選択することができる。フィールド５０７は、さらに、解決策提案ユニット１１５の動作に関する選好をセットするオプションの機能を提供する。符号５０８は、バッテリ１０の現在使用可能なエネルギ・レベルに関する情報に関連する。
【０１１２】
上を要約すると、要約画面５００は、ユーザへの確認要求（ボタン５０１及び５０２）と、通知に関する選択された危険性しきい値を有する危険性監視項目５０３、電気使用オプション５０６、及び解決策選好５０７などの監視モードの現在構成されているパラメータとを示す。監視モードのパラメータに関して、要約画面５００は、ユーザがパラメータを変更することを可能にする。たとえば、ユーザは、危険性しきい値を含むリスト化された危険性監視項目５０３のうちの１つ又は複数を選択することができる。この危険性しきい値は、計算された危険性をＨＭＩデバイスに通知すべきか否かを判断するのに使用される。「Ａｒｒｉｖａｌ  Ｔｉｍｅ（到着時刻）」の危険性監視項目がフィールド５０３で選択されている時には、目的地５０４及び必要な到着時刻５０５をセットする必要がある。目的地が予約された充電ステーションに対応する（図７に示されているように）場合には、ＨＭＩデバイスは、メモリ・ユニット２２０内の充電ステーション予約情報２２４を参照することによって、必要な到着時刻に、充電ステーションの予約された時刻をセットすることもできる。ユーザは、バッテリ消費の計算のためにサーバ内で使用される、リスト化された電気使用オプション５０６のうちの１つ又は複数を選択することができる。ユーザは、さらに、解決策選好オプション５０７のうちの１つを選択することができる。フィールド５０７で選択された項目は、推奨される解決策の優先順位を判定するのに使用される。
【０１１３】
ボタン５０１を介するユーザによる確認（ステップＳ１０７）の後に、設定パラメータが、危険性監視モードについてメモリ・ユニット２２０に格納され、且つ／又はサーバ・システム１に送信される。もう一度図６を参照すると、ユーザが要約画面５００のボタン５０２を選択する（ステップＳ１０７がｎｏを返す）場合には、このプロセスは、Ｓ１０１に継続して、もう一度メイン画面を示す。ユーザが要約画面５００のボタン５０１を選択する（ステップＳ１０７がｙｅｓを返す）場合には、ＨＭＩ制御ユニット２１４は、ステップＳ１０８で、通信ユニット２３０を介し、ネットワークＮを通じてサーバ・システム１に監視モード・アクティブ化要求（上で説明したステップＳ１に従ってサーバ・システム１で受信することができる）を送信する。
【０１１４】
アクティブ化要求がサーバ・システム１に送信（ステップＳ１０８）された後に、ＨＭＩデバイスが、サーバ・システム１から応答、たとえば上で説明したステップＳ４で送信される応答を受信する（ステップＳ１０９）ことになっている。ＨＭＩデバイスが、ある時間期間の間にそのような応答を受信しない（ステップＳ１０９がｎｏを返す）場合には、ヒューマン・マシン・インターフェース・ユニット２４０は、通信エラーについてユーザに通知し（ステップＳ１１３）、アプリケーションのメイン画面に戻る（ステップＳ１０１）。
【０１１５】
そうではなく、ステップＳ１０９がｙｅｓを返す場合には、このプロセスは、次のステップＳ１１０に進み、受信された応答に基づいて、アクティブ化が成功であるか否かをチェックする。要求が失敗したか拒否された（ステップＳ１１０がｎｏを返す）場合には、ヒューマン・マシン・インターフェース・ユニット２４０は、失敗又は拒否の理由を表示し（ステップＳ１１４）、アプリケーションのメイン画面に戻る（ステップＳ１０１）。そうではなく、ステップＳ１１０がｙｅｓを返す場合には、ヒューマン・マシン・インターフェース・ユニット２４０は、監視モードがアクティブ化されていることを指定する追加アイコン５０９を含むメイン画面５５０を示す（ステップＳ１１１）。ステップＳ１１１の後に、このプロセスは、ステップＳ１１２で危険性監視プロセスに継続し、危険性監視プロセスは、以下で図９を参照してより詳細に説明される。
【０１１６】
図８に、監視モードがアクティブ化されていることを示す追加の監視モード・アイコン５０９を有するメイン画面５５０の実例を概略的に示す。さらに、メイン画面は、目的地に関する情報５０４、現在セットされているナビゲーション経路による目的地までの残り距離に関する情報５１０、及び現在推定されている到着時刻に関する情報５１１を例示的に示す。フィールド５１２は、ナビゲーション地図及び経路情報（矢印５１３など）を含むナビゲーション・データを示す。
【０１１７】
図９に、本開示の実施例による危険性監視プロセスを概略的且つ例示的に示す。危険性監視プロセスでは、ＨＭＩデバイスは、ステップＳ１２０で、サーバ・システム１からの危険性通知（たとえば、上で説明したステップＳ１３で送信される通知）を待つ。サーバ・システムによって、計算された危険性が指定されたしきい値を超えることが検出された後に、ＨＭＩデバイスは、ステップＳ１２０で、推奨される解決策と一緒に危険性通知をサーバ・システム１から受信する。その後、ステップＳ１２１で、ＨＭＩデバイスは、現在の危険性状況をユーザに通知する（Ｓ１２２）ために監視モード・アイコン５０９を更新する。たとえば、アイコンの色を、危険性レベルに応じて変更することができ、或いは、危険性レベルをアイコン５０９に隣接して明示的に書き込むことができる。この危険性状況を、ある期間にわたって保持することができる。期間中に更新がない場合には、危険性状況をリセットすることができる。
【０１１８】
次のステップＳ１２２では、ＨＭＩ制御ユニット２１４は、危険性レベルが既にユーザに知らされた以前の危険性レベルより高いかどうかを判定する。ステップＳ１２２がｎｏを返す場合には、ＨＭＩ制御ユニット２１４は、危険性情報についてユーザに知らせるのをやめ、ステップＳ１２０に戻る。このオプションのステップによって、類似する危険性情報を表示することによってユーザを不必要に悩ませることを回避することができる。しかし、ステップＳ１２２の結果がｙｅｓである場合には、ヒューマン・マシン・インターフェース・ユニット２４０は、表示画面及び／又は音声出力などの他のタイプのＨＭＩ出力を介して、新しい危険性情報（たとえば、図１０の符号５１４を参照されたい）並びに推奨される解決策についてユーザに知らせる（ステップＳ１２３）。
【０１１９】
図１０に、危険性情報５１５及び推奨される解決策５１６を表示するヒューマン・マシン・インターフェース・ユニット２４０の危険性を知らせる画面６００の実例を示す。第１に、監視モード・アイコン５０９は、危険性パーセンテージ５１４を表示することによって危険性状況を指定する。第２に、危険性情報５１５が、ユーザへの警告として表示される。表示される危険性情報は、ステップＳ１０６で指定される監視項目の１つに対応する危険性タイプ（たとえば、ここではバッテリ不足）、危険性レベル、危険性の主な理由、又は類似のものを含むことができる。第３に、推奨される解決策５１６も、危険性を知らせる画面６００の最下部に表示される。
【０１２０】
推奨される解決策５１６は、複数の推奨を含むことができる。この場合に、危険性を知らせる画面６００は、それらのうちの１つ（ここでは、代替経路に関連する距離、推定到着時刻、及び代替経路選択により危険性レベルの変化など、利用可能な代替経路の最良候補に関する情報を含む「１．  Ｄｅｔｏｕｒ  Ｒｏｕｔｅ（迂回経路）」）をはじめに示し、かつユーザが他の解決策を表示することを可能にする。この実例では、タブ・ウィンドウが例示的に使用されている。複数の推奨の表示の順序は、ステップＳ１０６でユーザによって指定される解決策選好によって決定することができる。
【０１２１】
図１１に、ユーザがバッテリ充電（図１０の危険性を知らせる画面６００のフィールド５１６内の第２推奨）「２．  Ｂａｔｔｅｒｙ  Ｃｈａｒｇｅ（バッテリ充電）」を選択し、変更されたフィールド５１６’（さらに、ユーザが充電ステーション候補の検索を開始することを可能にする）を表示した時の危険性を知らせる画面６００’を例示的に示す。画面６００及び６００’の右に、運転支援サービス５１７が、進行中のサービスを乱さないように表示されたままにされる。この実例では、危険性情報５１５及び推奨される解決策５１６は、自動的に表示されるが、ＨＭＩデバイスが、短時間表示又は音声出力によってユーザに通知を与えるのみであり、さらなる詳細を見るためにユーザにメニュー又は監視アイコンにタッチさせるようにしてもよい。
【０１２２】
たとえば、推奨される解決策部分５１６及び５１６’内には、アクションを要求するボタン又はこの警告及び推奨を無視するボタンが設けられる。「ｉｇｎｏｒｅ（無視）」ボタンが選択される（ステップＳ１２４がＮｏを返す）場合には、警告画面が閉じられ、メイン画面がもう一度表示される（ステップＳ１０１）。推奨されるアクションボタンのうちの１つが選択される（ステップＳ１２４がｙｅｓを返す）場合には、ＨＭＩデバイスは、対応するアクション要求をサーバ・システム１に送信する（ステップＳ１２５）。その後、ＨＭＩデバイスは、選択されたアクション・プロセスを実行し（ステップＳ１２６）、危険性が解決される場合には警告通知履歴をリセットすることができる。ステップＳ１２５がなんらかの理由で失敗する場合には、ＨＭＩデバイスは、警告通知履歴をリセットしない。その後、このプロセスはステップＳ１２０に戻る。
【０１２３】
たとえば、ステップＳ１２５のアクション要求では、充電ステーション検索要求を指定することができる。図１２に、充電ステーション検索（フィールド５１６’で選択できる）に関するアクション要求を受信する時の、本開示の実施例による例示的なサーバ動作方法を示し、図１３に、本開示の実施例による対応するＨＭＩデバイス動作方法を示す。
【０１２４】
サーバ・システム１が、ユーザ要求を待っている（ステップＳ１）間に、要求された充電ステーション検索に関するアクション要求を受信すると（ステップＳ２０）、サーバ・システムは、充電ステーション検索動作に関する要求されたプロセスを開始する。ステップＳ２１では、充電ステーション予約制御ユニット１１６は、まず、メモリ・ユニット１２０に格納された情報１２４（自動的且つ周期的に更新され得る）に基づいて、及び／又は充電ステーション・センタ３から受信され且つ／若しくはこれに要求された情報に基づいて、関連する区域内の充電ステーションの利用可能性に関する最新の使用可能な情報を入手する。
【０１２５】
関連する区域は、たとえば、バッテリ１０の残りバッテリ・レベルに基づく、車両４を用いてまだ移動できる距離によって定義される区域、指定された時間期間によって定義される区域（車両４は、現在セットされている経路上の任意の点から指定された期間中にその区域内の点に到達することができる）、特定の都市によって定義される区域、又は類似物とすることができる。また、関連する区域を、充電ステーション検索に関連するアクション要求を送信する時に、ユーザの選好に従ってユーザが指定することができる。
【０１２６】
公衆充電ステーション情報に加えて、サーバ・システム１は、ユーザ固有充電ポイント情報をも入手することができ（ステップＳ２２）、このユーザ固有充電ポイント情報は、たとえばユーザの家庭のプライベート充電器など、プライベート充電ポイントを事前に登録しておくなど、ユーザによって事前に指定され得る。
【０１２７】
次に、充電ステーション・スコア計算ユニット１１４は、充電ステーション候補ごとに、ユーザ選好に基づいてスコア値を計算する（ステップＳ２３）。それぞれのスコアを、アクティブ化要求で指定された解決策選好に基づいて１つの値として計算してもよいし、或いは、それぞれすばやい到着、より少ないコスト、及び確実性などの解決策選好項目に関連する複数の値として計算してもよい（図７のフィールド５０７を参照されたい）。
【０１２８】
次に、サーバ・システム１は、ネットワークＮを介してユーザのＨＭＩデバイスに、充電ステーション候補のうちの１つ又は複数に関する情報を、その計算されたスコアに関する情報と一緒に送信する（ステップＳ２４）。
【０１２９】
ＨＭＩデバイス５（７）の通信ユニット２３０が、サーバ・システム１から、充電ステーション候補のうちの１つ又は複数に関する情報を、それらの計算されたスコアに関する情報と一緒に受信する（図１３のステップＳ１３０）時に、ヒューマン・マシン・インターフェース・ユニット２４０は、受信した情報を、たとえば計算されたスコアの順で、ユーザに提供する（ステップＳ１３１）。図１４に、ヒューマン・マシン・インターフェース・ユニット２４０で充電ステーション候補を表示する充電ステーション候補画面７００を例示的且つ概略的に示す。
【０１３０】
充電ステーション候補画面７００は、サーバ・システム１から受信された充電ステーション候補のリスト７０１を示す。リスト７０１は、計算されたスコアによって例示的にソートされているが、候補を、確実性、すばやい到着、及び低いコストなど、他の判断基準に従ってリストすることもできる。
【０１３１】
充電ステーション候補画面７００は、表示サイズの制限に起因してリストを部分的にのみ例示的に示すが、「Ｓｈｏｗ  Ａｌｌ（すべてを示す）」ボタン７０２を選択することによってすべての可能な候補を示す代替ビューを選択する機能をユーザに与える。候補リスト７０１は、さらに、リストされた充電ステーション候補のうちの１つを選択する機能をユーザに与える。
【０１３２】
選択された充電ステーション候補に関する詳細情報が、フィールド７０３に示されている。画面７００のこの実例では、フィールド７０３は、選択された充電ステーション候補の名前、選択された充電ステーション候補の場所、選択された充電ステーション候補で利用可能な設備（充電ユニットの個数及び充電ユニットのタイプ）、選択された充電ステーション候補の選択可能な予約オプション、選択された充電ステーション候補までの距離及び選択された充電ステーション候補への推定された到着時刻、現在位置から選択された充電ステーション候補を介する最終目的地までの総距離、選択された充電ステーション候補での推奨される充電時間、並びに選択された現在位置から充電ステーション候補を介する最終目的地への充電時間を考慮に入れて推定された到着時刻を示す。
【０１３３】
選択された充電ステーション候補で利用可能な設備は、たとえば、急速充電器（高電圧）及び通常充電器（家庭用電圧）など、充電器のタイプごとに何個の充電スロットが利用可能であるのかを指定することができる。選択可能な予約オプションは、選択された充電ステーション候補についてユーザによって選択可能な予約オプションを指定する。たとえば、急速充電器及び通常充電器が、選択された充電ステーション候補で利用可能である場合には、急速充電器を用いる充電、通常充電器を用いる充電、及び予約なしの選択可能オプションを提供することができる。
【０１３４】
推奨される充電時間は、充電器タイプと、将来の充電なしで目的地に到達するために最小限必要な要求されるバッテリ・レベルとに基づいて計算することができる。したがって、バッテリ１０の特定の充電レベル（たとえば、６０％）が、目的地に到達できるのに十分と推定される場合には、推奨される充電時間は、選択された充電器タイプに基づいて、特定の充電レベルまでバッテリ１０を充電するのに必要な時間としてセットされる。予防の理由から、特定の充電レベル＋許容範囲（たとえば、＋５％）に対応するレベルまでバッテリ１０を充電するのに必要な充電時間を推奨することが、さらに可能である。さらに、フィールド７０３は、推奨される充電時間を考慮に入れた選択された充電ステーション候補での充電動作のコスト（たとえば、３ユーロ）と、バッテリ１０が推奨された充電動作によってどれほど回復することになるのか（たとえば、３０％−＞６０％）とを例示的に示す。
【０１３５】
さらに、充電ステーション候補画面７００は、ユーザが選択された充電ステーション候補の予約を選択することを可能にする、すなわち、選択された充電ステーション候補の予約の実行に進む（ステップ１３２がｙｅｓを返す）又は予約動作を取り消す（ステップ１３２がｎｏを返す）ために、選択ボタン７０４及び取消ボタン７０５を含む。後者の場合には、取消要求がサーバ・システム１に送信され（ステップＳ１３３）、このプロセスは終了する。
【０１３６】
しかし、充電ステーション候補が選択されたかどうかを判定するステップＳ１３２がｙｅｓを返す場合には、選択された充電ステーション候補について、予約が要求されるか否かが判定される。要求されない場合には、ＨＭＩ制御ユニット２１４は、通信ユニット２３０によって、ユーザの選択についてサーバ・システム１に知らせるメッセージをサーバ・システム１に送信し（ステップＳ１３５）、後で説明するステップＳ１４１に継続する。
【０１３７】
ステップＳ１３４がｙｅｓを返す場合には、このプロセスは、予約動作について予約パラメータを判定するステップＳ１３６に継続する。図１５に、ユーザ入力に基づく予約パラメータの判定を可能にする予約パラメータ画面８００の実例を例示的且つ概略的に示す。その代わりに又はそれに加えて、予約パラメータを、メモリ・ユニット２２０内に格納された予約情報２２４から入手することもできる。
【０１３８】
予約パラメータ画面８００は、予約に関して選択された充電ステーションの情報（フィールド７０３内に表示される情報に似た）を示し、且つさらにそれに関して選択された充電ステーションで予約が行われるタイム・スロット（充電開始時刻及び充電終了時刻はユーザ入力によって構成可能である）を表示する、予約パラメータ判定に関連するフィールド８０１を含む。予約に関するタイム・スロットの表示では、推奨される充電開始時刻及び推奨される充電終了時刻などの推奨されるパラメータが、デフォルトでセットされる。
【０１３９】
図１５の予約パラメータ画面８００は、ユーザＩＤ、充電ステーション予約用の認証データ、及びクレジット・カード情報などの支払データなど、予約に使用されるユーザ情報を示すフィールド８０２をも表示する。フィールド８０２を、ボタン８０５「Ｅｄｉｔ  ｉｎｆｏｒｍａｔｉｏｎ（情報を編集する）」の動作によって開始される編集モードでユーザによって変更することができる。「Ｄｅｔｅｒｍｉｎｅ（決定する）」ボタン８０３を操作することによって、ユーザは、決定された予約パラメータに基づいて予約動作を開始するために、現在表示されている情報を確認することができる。「Ｂａｃｋ  ｔｏ  ｔｈｅ  ｌｉｓｔ（リストに戻る）」ボタン８０４を操作することによって、ユーザは、予約に関して別の充電ステーション候補を選択することを望む時に、充電ステーション候補画面７００に戻ることができる。
【０１４０】
予約動作に関する予約パラメータが決定された後に、ＨＭＩ制御ユニット２１４は、通信ユニット２３０によって、充電ステーション情報に関する情報を決定された予約パラメータと一緒にサーバ・システム１に送信する（ステップＳ１３７）。サーバ・システム１が選択された充電ステーション情報を受信する（図１２のステップＳ２５）時に、充電ステーション予約制御ユニット１１６は、予約に関する充電ステーション候補が受信されたデータによって指定されているか否かを判定する（ステップＳ２６）。指定されていない（ステップＳ２６がｎｏを返す。たとえば、取消要求の受信の場合）場合には、このプロセスは終了する。
【０１４１】
ステップＳ２６がｙｅｓを返す場合には、充電ステーション予約制御ユニット１１６は、予約オプションが指定されているか否かを判定する（ステップＳ２７）。指定されていない場合には、このプロセスはステップＳ３２に進む。そうでない場合には、充電ステーション予約制御ユニット１１６は、予約システムのユーザＩＤ及び認証データ並びに支払情報（たとえば、クレジット・カード情報など）などのユーザ情報を使用することによって、判定された予約パラメータに基づいて、ネットワークＮを通じて、充電ステーション・センタ３の予約インターフェースを介して、指定された充電ステーションの予約を行う（ステップＳ２８）。ユーザ情報は、予約情報が送信される時にＨＭＩデバイスから受信してもよいし、或いは、サーバ・システム１のメモリ・ユニット１２０内に格納されるユーザ情報１２１内に事前に登録されていてもよい。
【０１４２】
予約動作がなんらかの理由で失敗する（予約が成功であったかどうかを判定するステップＳ２９がｎｏを返す）場合には、予約失敗メッセージが、ユーザに通知するためにＨＭＩデバイスに送信され（ステップＳ３０）、ステップＳ２５に戻る。その一方で、予約が成功であった（ステップＳ２９がｙｅｓを返す）場合には、充電ステーション予約制御ユニット１１６は、通信ユニット１３０によって、予約確認メッセージをユーザに送信し（ステップＳ３１）、経路計算及びナビゲーションのため、また交通渋滞、遅れた到着、又はバッテリ不足などの危険性監視項目に使用される目的地のために、中間目的地として新たに予約された充電ステーションの場所をセットすることによって、ユーザの目的地情報を更新する（ステップＳ３２）。したがって、危険性監視モードがアクティブ化されている場合には、危険性計算ユニット１１２は、新たにブッキングされた充電ステーションでのバッテリ充電を考慮に入れることによって、たとえば目的地としての充電ステーションまで及び／又は最終目的地までの、選択された危険性監視項目の危険性レベルを計算し（ステップＳ３３）、計算結果は、新たに計算された危険性レベルについてユーザに通知するために通信ユニット１３０を介してＨＭＩデバイスに送信される（ステップＳ３４）。その後、予約プロセスは、システム・サーバ１で終了する。
【０１４３】
上の予約プロセスは、アクティブ監視モードについて議論されるが、ステップＳ２０の要求される充電ステーション検索に関するアクション要求が、監視モードが非アクティブ化されている時間期間中にサーバ・システム１で受信される可能性もあることに留意されたい。たとえば、ユーザが、先を見越して充電ステーションを予約することを望む場合には、充電ステーション候補の検索及び選択と選択された充電ステーション候補の予約とを、同様に処理することができる。
【０１４４】
図１３のステップＳ１３８に継続すると、サーバ側での上のステップＳ３４の後に、ＨＭＩデバイスの通信ユニット２３０は、サーバ・システム１から予約結果メッセージを受信する（ステップＳ１３８）。受信された予約結果メッセージが予約失敗を示す（Ｓ１３９がｎｏを返す）場合には、ヒューマン・マシン・インターフェース・ユニット２４０は、画面及び／又は音声出力を介して予約失敗情報に関してユーザに通知する（ステップＳ１４０）。その一方で、受信された予約結果メッセージが、予約成功を示す（Ｓ１３９がｙｅｓを返す）場合には、ヒューマン・マシン・インターフェース・ユニット２４０は、画面及び／又は音声出力を介して予約成功情報に関してユーザに通知する（ステップＳ１４１）。次に、通信ユニット２３０は、ステップＳ３４で送信された更新された危険性情報をサーバ・システム１から受信し（ステップＳ１４２）、その後、現在の危険性状況についてユーザに通知するヒューマン・マシン・インターフェース・ユニット２４０の画面上の監視モード・アイコンを更新する（ステップＳ１４３）。したがって、ユーザの充電ステーション動作要求は、選択されたアクション・プロセスとして達成され（たとえば、ステップＳ１２６）、ＨＭＩデバイス・プロセスは、図９のＳ１２７に進む。
【０１４５】
上で説明した実施例では、危険性監視プロセスは主にサーバ側で実行され、情報は車両側から受信されるが、本開示は、サーバ側の危険性監視に限定されない。気象情報、交通情報、及び／又は充電ステーション情報などの情報をネットワークＮを介して繰り返して又は周期的に入手することによって、車両と通信接続された、オンボード・ユニット又はモバイルＨＭＩユニットなどのＨＭＩデバイスがそれに従って危険性を監視する実施例を提供することも可能である。
【符号の説明】
【０１４６】
１  サーバ・システム
２  交通情報センタ
３  充電ステーション・センタ
４  電気駆動車両
４ａ  電気自動車
４ｂ  電気自動車
５  オンボード装置
５ａ  オンボード装置
５ｂ  オンボード装置
６ａ  無線通信インターフェース
６ｂ  通信インターフェース
７  モバイル・ユニット
８  矢印
９  通信ユニット
１０  充電可能バッテリ
１１  車両内ネットワーク及び制御ユニット
１２  オーディオ・デバイス
１３  エア・コンディショナ・デバイス
１１０  計算ユニット
１１１  危険性監視ユニット
１１２  危険性計算ユニット
１１３  危険性通知ユニット
１１４  充電ステーション・スコア計算ユニット
１１５  解決策提案ユニット
１１６  充電ステーション予約制御ユニット
１１７  情報収集ユニット
１２０  メモリ・ユニット
１２１  ユーザ情報
１２２  車両情報
１２３  交通情報
１２４  充電ステーション情報
１２５  気象情報
１３０  通信ユニット
２１０  計算ユニット
２１１  車両状況チェック・ユニット
２１２  位置判定ユニット
２１３  車両情報送信ユニット
２１４  ＨＭＩ制御ユニット
２１５  ナビゲーション・ユニット
２２０  メモリ・ユニット
２２１  ユーザ情報
２２２  車両情報
２２３  交通情報
２２４  予約情報
２２５  危険性情報
２２６  ナビゲーション情報
２３０  通信ユニット
２４０  ヒューマン・マシン・インターフェース・ユニット
５００  要約画面
５０１  画面ボタン
５０２  画面ボタン
５０３  画面フィールド
５０４  符号
５０５  符号
５０６  フィールド
５０７  フィールド
５０８  符号
５０９  追加アイコン
５１０  情報
５１１  情報
５１２  フィールド
５１３  矢印
５１４  危険性パーセンテージ
５１５  危険性情報
５１６  推奨される解決策
５１６’  変更されたフィールド
５１７  運転支援サービス
５５０  メイン画面
６００  危険性を知らせる画面
６００’  変更された危険性を知らせる画面
７００  充電ステーション候補画面
７０１  リスト
７０２  「Ｓｈｏｗ  Ａｌｌ」ボタン
７０３  フィールド
７０４  選択ボタン
７０５  取消ボタン
８００  予約パラメータ画面
８０１  フィールド
８０２  フィールド
８０３  「Ｄｅｔｅｒｍｉｎｅ」ボタン
８０４  「Ｂａｃｋ  ｔｏ  ｔｈｅ  ｌｉｓｔ」ボタン
８０５  ボタン
Ｎ  通信ネットワーク
【図１】
0005943514.tif 000002
【図２】
0005943514.tif 000003
【図３】
0005943514.tif 000004
【図４】
0005943514.tif 000005
【図５】
0005943514.tif 000006
【図６】
0005943514.tif 000007
【図７】
0005943514.tif 000008
【図８】
0005943514.tif 000009
【図９】
0005943514.tif 000010
【図１０】
0005943514.tif 000011
【図１１】
0005943514.tif 000012
【図１２】
0005943514.tif 000013
【図１３】
0005943514.tif 000014
【図１４】
0005943514.tif 000015
【図１５】
0005943514.tif 000016